(57)【要約】  無線通信システムにおいて半永続的チャネル状態情報（ＳＰ−ＣＳＩ）報告を活性化または非活性化するための制御メッセージを有効化するためのシステムおよび方法が開示される。いくつかの実施形態では、無線通信システムにおいてＳＰ−ＣＳＩ報告を活性化または非活性化するための制御メッセージを有効化するために無線デバイスによって実施される方法は、ネットワークノードから、ＳＰ−ＣＳＩ報告の活性化または非活性化のための制御メッセージを受信することを含む。この方法は、制御メッセージに基づき、ＳＰ−ＣＳＩ報告を活性化するべきかそれとも非活性化するべきかを判定することと、判定に従ってＳＰ−ＣＳＩ報告を活性化または非活性化することとをさらに含む。このように、無線デバイスは、ＳＰ−ＳＣＩ報告を活性化する制御メッセージとＳＰ−ＳＣＩ報告を非活性化する制御メッセージを識別することが可能になる。【選択図】図６
2020536400.tif 000002
【特許請求の範囲】
【請求項１】
無線通信システム（５００）において半永続的チャネル状態情報（ＳＰ−ＣＳＩ）報告を活性化または非活性化するための制御メッセージを有効化するために無線デバイス（５１２）によって実施される方法であって、
前記ＳＰ−ＣＳＩ報告を活性化または非活性化するための制御メッセージを受信すること（６００）と、
前記制御メッセージに基づき、前記ＳＰ−ＣＳＩ報告を活性化するべきかそれとも非活性化するべきかを判定すること（６０２）と、
前記判定に従って前記ＳＰ−ＣＳＩ報告を活性化または非活性化すること（６０４）とを含む方法。
【請求項２】
前記制御メッセージが物理ダウンリンク制御チャネル上で搬送されるダウンリンク制御情報を含む、請求項１に記載の方法。
【請求項３】
前記制御メッセージが、ＳＰ−ＣＳＩ報告に関連した前記無線デバイス（５１２）の識別子を用いてスクランブルをかけられる、請求項１または２に記載の方法。
【請求項４】
ＳＰ−ＣＳＩ報告に関連した前記無線デバイス（５１２）の前記識別子が、前記無線デバイス（５１２）のＳＰ−ＣＳＩセル無線ネットワーク一時識別子（ＳＰ−ＣＳＩ−ＲＮＴＩ）である、請求項３に記載の方法。
【請求項５】
前記制御メッセージが、前記制御メッセージは前記ＳＰ−ＣＳＩ報告を活性化するためのものかそれとも非活性化するためのものかを指示する情報を含み、前記判定すること（６０２）が、前記制御メッセージに含まれた前記情報に基づき、前記ＳＰ−ＣＳＩ報告を活性化するべきかそれとも非活性化するべきかを判定すること（１１０２）を含む、請求項１から４のいずれか一項に記載の方法。
【請求項６】
前記情報が、前記制御メッセージの１つまたは複数のビットフィールドの中に、設定されたビット値を含み、前記制御メッセージの前記１つまたは複数のビットフィールドは、他の目的のために規定されるが、前記ＳＰ−ＣＳＩ報告を活性化するべきかそれとも非活性化するべきかを指示するために前記制御メッセージが前記無線デバイス（５１２）のＳＰ−ＣＳＩセル無線ネットワーク一時識別子（ＳＰ−ＣＳＩ−ＲＮＴＩ）を用いてスクランブルをかけられるとき再利用される、請求項５に記載の方法。
【請求項７】
前記１つまたは複数のビットフィールドが、新データインジケータおよび／または冗長バージョン（ＲＶ）をもたらすように規定された１つまたは複数のビットフィールドを含む、請求項６に記載の方法。
【請求項８】
前記ＳＰ−ＣＳＩ報告を活性化するとき、前記ＳＰ−ＣＳＩを活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、および／または
ハイブリッド自動再送要求（ＨＡＲＱ）プロセス番号を通信するように規定されたフィールドのうちの１つまたは複数を含む、請求項６または７に記載の方法。
【請求項９】
前記ＳＰ−ＣＳＩ報告を活性化するとき、前記１つまたは複数のビットフィールドにおける前記ビットがすべてゼロにセットされていると、前記ＳＰ−ＣＳＩを活性化するための前記制御メッセージが有効化される、請求項６から８のいずれか一項に記載の方法。
【請求項１０】
前記ＳＰ−ＣＳＩ報告を非活性化するとき、前記ＳＰ−ＣＳＩ報告を非活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、
ハイブリッド自動再送要求（ＨＡＲＱ）プロセス番号を通信するように規定されたフィールド、
変調・符号化方式（ＭＣＳ）を通信するように規定されたフィールド、
周波数領域リソース割り当てを通信するように規定されたフィールド、および／または
時間領域リソース割り当てを通信するように規定されたフィールドのうちの１つまたは複数を含む、請求項６から９のいずれか一項に記載の方法。
【請求項１１】
前記ＳＰ−ＣＳＩ報告を非活性化するとき、
変調・符号化方式を通信するためのビットフィールド、
周波数領域リソース割り当てを通信するためのビットフィールド、および
時間領域リソース割り当てを通信するためのビットフィールド、
のうちの１つまたは複数におけるビットがすべて１にセットされており、かつ
新データインジケータを通信するためのビットフィールド、
冗長バージョン（ＲＶ）を通信するためのビットフィールド、
物理アップリンク共有チャネル向けの送信電力制御命令を通信するためのビットフィールド、および
ハイブリッド自動再送要求（ＨＡＲＱ）プロセス番号を通信するためのビットフィールド、のうちの１つまたは複数におけるビットがすべてゼロにセットされている場合には、前記ＳＰ−ＣＳＩ報告を非活性化するための前記１つまたは複数のフィールド、前記ＳＰ−ＣＳＩを非活性化するための前記制御メッセージが有効化される、請求項６から１０のいずれか一項に記載の方法。
【請求項１２】
無線通信システム（５００）において半永続的チャネル状態情報（ＳＰ−ＣＳＩ）報告を活性化または非活性化するための制御メッセージを有効化するための無線デバイス（５１２、１７００）であって、
１つまたは複数の送信器（１７０８）および１つまたは複数の受信器（１７１０）と、
前記１つまたは複数の送信器（１７０８）および前記１つまたは複数の受信器（１７１０）に関連した処理回路（１７０２）であって、前記無線デバイス（５１２、１７００）に、
前記ＳＰ−ＣＳＩ報告を活性化または非活性化するための前記制御メッセージを受信することと、
前記制御メッセージに基づき、前記ＳＰ−ＣＳＩ報告を活性化するべきかそれとも非活性化するべきかを判定することと、
前記判定に従って前記ＳＰ−ＣＳＩ報告を活性化または非活性化することとを行わせるように設定された処理回路（１７０２）とを備える、無線デバイス（５１２、１７００）。
【請求項１３】
前記処理回路（１７０２）が、前記無線デバイス（５１２、１７００）に、請求項２から１１のいずれか一項に記載の方法を実施させるようにさらに設定されている、請求項１２に記載の無線デバイス（５１２、１７００）。
【請求項１４】
無線通信システム（５００）において半永続的チャネル状態情報（ＳＰ−ＣＳＩ）報告の活性化または非活性化を可能にするために基地局（５０２）によって実施される方法であって、
無線デバイス（５１２）に、ＳＰ−ＣＳＩ報告を活性化または非活性化するための制御メッセージを送ること（６００）を含む、方法。
【請求項１５】
前記制御メッセージが物理ダウンリンク制御チャネル上で搬送されるダウンリンク制御情報を含む、請求項１４に記載の方法。
【請求項１６】
前記制御メッセージが、ＳＰ−ＣＳＩ報告に関連した前記無線デバイス（５１２）の識別子を用いてスクランブルをかけられる、請求項１４または１５に記載の方法。
【請求項１７】
ＳＰ−ＣＳＩ報告に関連した前記無線デバイス（５１２）の前記識別子が、前記無線デバイス（５１２）のＳＰ−ＣＳＩセル無線ネットワーク一時識別子（ＳＰ−ＣＳＩ−ＲＮＴＩ）である、請求項１６に記載の方法。
【請求項１８】
前記制御メッセージが、前記制御メッセージは前記ＳＰ−ＣＳＩ報告を活性化するためのものかそれとも非活性化するためのものかを指示する情報を含む、請求項１４から１７のいずれか一項に記載の方法。
【請求項１９】
前記情報が、前記制御メッセージの１つまたは複数のビットフィールドの中に、設定されたビット値を含み、前記制御メッセージの前記１つまたは複数のビットフィールドは、他の目的のために規定されるが、前記ＳＰ−ＣＳＩ報告を活性化するべきかそれとも非活性化するべきかということを指示するために前記制御メッセージがＳＰ−ＣＳＩセル無線ネットワーク一時識別子（ＳＰ−ＣＳＩ−ＲＮＴＩ）を用いてスクランブルをかけられるとき再利用される、請求項１８に記載の方法。
【請求項２０】
前記１つまたは複数のビットフィールドが、新データインジケータおよび／または冗長バージョン（ＲＶ）をもたらすように規定された１つまたは複数のビットフィールドを含む、請求項１９に記載の方法。
【請求項２１】
前記ＳＰ−ＣＳＩ報告を活性化するとき、前記ＳＰ−ＣＳＩを活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、および／または
ハイブリッド自動再送要求（ＨＡＲＱ）プロセス番号を通信するように規定されたフィールドのうちの１つまたは複数を含む、請求項１９または２０に記載の方法。
【請求項２２】
前記ＳＰ−ＣＳＩ報告を活性化するとき、前記１つまたは複数のビットフィールドにおける前記ビットがすべてゼロにセットされていると、前記ＳＰ−ＣＳＩを活性化するための前記制御メッセージが有効化される、請求項１９から２１のいずれか一項に記載の方法。
【請求項２３】
前記ＳＰ−ＣＳＩ報告を非活性化するとき、前記ＳＰ−ＣＳＩ報告を非活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、
ハイブリッド自動再送要求（ＨＡＲＱ）プロセス番号を通信するように規定されたフィールド、
変調・符号化方式（ＭＣＳ）を通信するように規定されたフィールド、
周波数領域リソース割り当てを通信するように規定されたフィールド、および／または
時間領域リソース割り当てを通信するように規定されたフィールドのうちの１つまたは複数を含む、請求項１９から２２のいずれか一項に記載の方法。
【請求項２４】
前記ＳＰ−ＣＳＩ報告を非活性化するとき、
変調・符号化方式を通信するためのビットフィールド、
周波数領域リソース割り当てを通信するためのビットフィールド、および
時間領域リソース割り当てを通信するためのビットフィールド、
のうちの１つまたは複数におけるビットがすべて１にセットされており、かつ
新データインジケータを通信するためのビットフィールド、
冗長バージョン（ＲＶ）を通信するためのビットフィールド、
物理アップリンク共有チャネル向けの送信電力制御命令を通信するためのビットフィールド、および
ハイブリッド自動再送要求（ＨＡＲＱ）プロセス番号を通信するためのビットフィールド、
のうちの１つまたは複数におけるビットがすべてゼロにセットされている場合には、前記ＳＰ−ＣＳＩ報告を非活性化するための前記１つまたは複数のフィールド、前記ＳＰ−ＣＳＩを非活性化するための前記制御メッセージが有効化される、請求項１９から２３のいずれか一項に記載の方法。
【請求項２５】
無線通信システムにおいて半永続的チャネル状態情報（ＳＰ−ＣＳＩ）報告の活性化または非活性化を可能にするための基地局（５０２、１４００）であって、
前記基地局（５０２、１４００）にＳＰ−ＣＳＩ報告を活性化または非活性化するための制御メッセージを無線デバイス（５１２）へ送らせるように設定された、処理回路（１４０４、１５０４）を備える、基地局（５０２、１４００）。
【請求項２６】
前記処理回路（１４０４、１５０４）が、前記基地局（５０２、１４００）に請求項１５から２４のいずれか一項に記載の方法を実施させるように、さらに設定されている、請求項２５に記載の基地局（５０２、１４００）。
【発明の詳細な説明】
【技術分野】
【０００１】
関連出願
本出願は、２０１８年１月１２日出願の米国特許仮出願第６２／６１６，８２３号の利益を主張するものであり、その開示の全体が参照によってここで本明細書に組み込まれる。
【０００２】
本開示は無線通信システムに関し、より詳細には、無線デバイスによる半永続的チャネル状態情報（ＣＳＩ）報告の活性化および非活性化に関する。
【背景技術】
【０００３】
第３世代パートナーシッププロジェクト（３ＧＰＰ）の第５世代（５Ｇ）または新無線（ＮＲ）と称される次世代移動無線通信システムは、使用事例の種々のセットおよび配備シナリオの種々のセットをサポートするはずである。後者は、今日のＬｏｎｇ  Ｔｅｒｍ  Ｅｖｏｌｕｔｉｏｎ（ＬＴＥ）に類似の数百メガヘルツ（ＭＨｚ）の低周波数の範囲と、ミリ波（ｍｍＷ）と称される数十ギガヘルツ（ＧＨｚ）の超高周波数の範囲の両方における配備を含む。
【０００４】
ＮＲは、ＬＴＥに似て、ＮＲ基地局（ｇＮＢ）からユーザ機器デバイス（ＵＥ）へのダウンリンクにおいて直交周波数分割多重（ＯＦＤＭ）を使用するはずである。ＵＥからｇＮＢへのアップリンクでは、離散フーリエ変換（ＤＦＴ）拡散ＯＦＤＭとＯＦＤＭの両方がサポートされるはずである。
【０００５】
したがって、基本的なＮＲ物理リソースは、各リソースエレメント（ＲＥ）が１つのＯＦＤＭシンボル期間中１つのＯＦＤＭサブキャリアに対応する図１に図示されるような時間−周波数グリッドと見なされ得る。スロットにおけるリソース割り当ては、周波数領域におけるリソースブロック（ＲＢ）および時間領域におけるＯＦＤＭシンボルの数に関して説明される。ＲＢは１２個の連続したサブキャリアに相当し、スロットは１４個のＯＦＤＭシンボルから成る。
【０００６】
ＮＲでは異なるサブキャリア間隔値がサポートされる。ＮＲにおいてサポートされる、ヌメロロジーとも称されるサブキャリア間隔値は、Δｆ＝（１５×２α）ｋＨｚによって与えられ、ここでαは非負整数である。
【０００７】
時間領域では、ＮＲにおけるダウンリンク送信およびアップリンク送信は、図２に示されるように、ＬＴＥと同様に同じサイズのサブフレームに編成される。サブフレームは、スロットにさらに分割され、１つのサブフレームごとのスロットの数は、（１５×２α）ｋＨｚのヌメロロジーについては２α＋１である。
【０００８】
ＮＲは「スロットベースの」送信をサポートする。各スロットにおいて、ｇＮＢは、ＵＥデータの送信先と、現在のダウンリンクサブフレームにおいてデータを送信するリソースとに関するダウンリンク制御情報（ＤＣＩ）を送信する。ＤＣＩは物理ダウンリンク制御チャネル（ＰＤＣＣＨ）上で搬送され、データは物理ダウンリンク共有チャネル（ＰＤＳＣＨ）上で搬送される。
【０００９】
このＰＤＣＣＨは、一般的には、各スロットにおける第１の少数のＯＦＤＭシンボルにおける制御リソースセット（ＣＯＲＳＥＴ）で送信される。ＵＥは、先ずＰＤＣＣＨを復号し、ＰＤＣＣＨの復号に成功したら、ＰＤＣＣＨにおける復号されたＤＣＩに基づき、対応するＰＤＳＣＨを復号する。
【００１０】
アップリンクデータ送信も、ＰＤＣＣＨを使用して動的にスケジューリングされる。ダウンリンクと同様に、ＵＥは、先ずＰＤＣＣＨによって搬送されたＤＣＩにおけるアップリンク許可を復号し、次いで、変調次数、符号化レート、アップリンクリソース割り当てなどのアップリンク許可における復号された制御情報に基づき、物理アップリンク共有チャネル（ＰＵＳＣＨ）上でデータを送信する。各ＵＥは、ネットワーク接続中に固有のセル無線ネットワーク一時識別子（Ｃ−ＲＮＴＩ）を割り当てられる。ＵＥ向けのＤＣＩに付加されたサイクリック冗長検査（ＣＲＣ）ビットは、ＵＥのＣ−ＲＮＴＩによってスクランブルをかけられ、したがって、ＵＥは、割り当てられたＣ−ＲＮＴＩに対してＤＣＩのＣＲＣビットを照合することにより、それ自体のＤＣＩを認識する。
【００１１】
ＰＵＳＣＨをスケジューリングするためのＤＣＩフォーマット
ＰＵＳＣＨ上のアップリンクスケジューリングのために、アップリンクＤＣＩには少なくとも以下のビットフィールドが含まれる。
・周波数領域リソース割り当て
・時間領域リソース割り当て
・変調・符号化方式（ＭＣＳ）  −  ５ビット
・最新データインジケータ  −  １ビット
・冗長バージョン（ＲＶ）  −  ２ビット
・ハイブリッド自動再送要求（ＨＡＲＱ）プロセス番号  −  ４ビット
・スケジューリングされたＰＵＳＣＨ用の送信電力制御（ＴＰＣ）命令  −  ２ビット
・チャネル状態情報（ＣＳＩ）要求  −  上位層パラメータＲｅｐｏｒｔＴｒｉｇｇｅｒＳｉｚｅによって判定された０、１、２、３、４、５、または６ビット
【００１２】
ＣＳＩ報告
ｇＮＢは、複数のアンテナポート上でＵＥにダウンリンクデータを送信する方法を判定するために、ＵＥからダウンリンクＣＳＩを取得するのに、ＣＳＩフィードバックを利用する。ＣＳＩは、一般的にはチャネルランクインジケータ（ＲＩ）、プリコーディング行列インジケータ（ＰＭＩ）、およびチャネル品質インジケータ（ＣＱＩ）を含む。ＲＩは同時に送信することができるデータ層の数をＵＥに指示するために使用され、ＰＭＩは指示されたデータ層向けのプリコーディング行列を指示するために使用され、ＣＱＩは指示されたランクおよびプリコーディング行列に対して達成することができる変調符号化レートを指示するために使用される。
【００１３】
ＮＲでは、ＬＴＥと同様に、周期的ＣＳＩ報告および非周期的ＣＳＩ報告に加えて半永続的ＣＳＩ報告もサポートされる。したがって、ＮＲでは、３つのタイプのＣＳＩ報告が以下のようにサポートされるはずである。
・物理アップリンク制御チャネル（ＰＵＣＣＨ）上の周期的ＣＳＩ（Ｐ−ＣＳＩ）報告：ＣＳＩはＵＥによって周期的に報告される。周期性およびスロットオフセットなどのパラメータは、ｇＮＢからＵＥへの上位層無線リソース制御（ＲＲＣ）シグナリングによって準静的に設定される。
・ＰＵＳＣＨ上の非周期的ＣＳＩ（Ａ−ＣＳＩ）報告：このタイプのＣＳＩ報告は、ｇＮＢによってＤＣＩを使用して動的に起動されるＵＥによる単発（すなわち１回）のＣＳＩ報告を包含している。Ａ−ＣＳＩ報告の設定に関係のあるパラメータのうちのいくつかはＲＲＣによって準静的に設定されるが、起動は動的である。
・ＰＵＳＣＨ上の非周期的ＣＳＩ（ＳＰ−ＣＳＩ）報告：ＳＰ−ＣＳＩ報告は、Ｐ−ＣＳＩ報告と同様に、準静的に設定され得る周期性およびスロットオフセットを有する。しかしながら、ＵＥがＳＰ−ＣＳＩ報告を開始することを可能にするためには、ｇＮＢからＵＥへの動的トリガが必要とされ得る。ｇＮＢからＵＥへの動的トリガは、ＵＥにＳＰ−ＣＳＩ報告を停止するように要求するのに必要とされる。
【００１４】
ＣＳＩ参照信号（ＣＳＩ−ＲＳ）
ＣＳＩ−ＲＳは、ＵＥによって、ダウンリンクＣＳＩを測定するために使用される。ＣＳＩ−ＲＳは、ｇＮＢにおいて、異なるアンテナポート向けにそれぞれの送信（Ｔｘ）アンテナポート上で送信され、ｇＮＢにおける各ＴｘアンテナポートとＵＥにおける各受信アンテナポートの間のチャネルがＵＥによって測定され得るように、時間領域、周波数領域、およびコード領域において多重化される。ＣＳＩ−ＲＳの送信のために使用される時間周波数リソースはＣＳＩ−ＲＳリソースと称される。
【００１５】
ＮＲにおけるＣＳＩのフレームワーク
ＮＲでは、ＵＥはＮ≧１のＣＳＩ報告設定（すなわちＲｅｐｏｒｔＣｏｎｆｉｇｓ）、Ｍ≧１のリソース設定（すなわちＲｅｓｏｕｒｃｅＣｏｎｆｉｇｓ）、および１つのＣＳＩ測定設定を用いて設定され得、ＣＳＩ測定設定はＬ≧１の測定リンク（すなわちＭｅａｓＬｉｎｋＣｏｎｆｉｇｓ）を含む。ＣＳＩ取得のために、少なくとも以下の設定パラメータがＲＲＣによってシグナリングされる。
１．Ｎ、Ｍ、およびＬは、暗示的または明示的に指示される。
２．各ＣＳＩ報告設定には、少なくとも以下のものが含まれる。
・ＲＩ、ＰＭＩ、ＣＱＩなどの報告されたＣＳＩパラメータ
・タイプＩまたはタイプＩＩなどで報告される場合にはＣＳＩタイプ
・コードブックサブセット制限を含むコードブック設定
・Ｐ−ＣＳＩ、ＳＰ−ＣＳＩ、またはＡ−ＣＳＩなどの時間領域挙動
・広帯域、部分帯域、またはサブバンドなど、ＣＱＩおよびＰＭＩに関する周波数細分性
・周波数領域におけるＲＢおよび時間領域におけるスロットなどの測定制限設定
３．各ＣＳＩ−ＲＳリソース設定における、
・Ｓ≧１のＣＳＩ−ＲＳリソースセットの設定
・少なくともＲＥへのマッピング、アンテナポートの数、時間領域挙動などを含む、各リソースセットｓに関するＫｓ≧１のＣＳＩ−ＲＳリソースの設定
・時間領域挙動：非周期的、周期的、または半永続的
４．ＣＳＩ測定設定におけるＬリンクの各々で、
・ＣＳＩ報告設定指示、リソース設定指示、測定量（チャネルまたは干渉のいずれか）
・１つのＣＳＩ報告設定が１つまたは複数のリソース設定にリンクされ得る
・複数のＣＳＩ報告設定が１つのリソース設定にリンクされ得る
【００１６】
ＰＵＳＣＨ上のＡ−ＣＳＩ報告
ＰＵＳＣＨ上のＡ−ＣＳＩ報告は、ＰＵＳＣＨをスケジューリングするためのＤＣＩまたはアップリンクＤＣＩによって起動される。その目的ために、ＤＣＩにおける特別なＣＳＩ要求ビットフィールドが規定される。ＣＳＩ要求ビットフィールドの各値がコードポイントを規定し、各コードポイントは、設定された上位層のＣＳＩ報告の起動状態に関連付けられ得る。Ａ−ＣＳＩ報告のために、ＣＳＩ報告の起動状態は、Ａ−ＣＳＩ報告に関連したＳｃ測定リンクのリストを含む。各ＣＳＩ報告の起動状態は、少なくとも以下の情報を規定する。
●リソース設定：
○  チャネル測定のためのＣＳＩ−ＲＳリソース
○  干渉測定のための干渉測定リソース
●ＣＳＩ報告設定：
○  ＣＳＩ報告のタイプ（すなわち広帯域またはサブバンド、使用されるタイプＩまたはタイプＩＩのコードブックなど）
【００１７】
ＣＳＩ要求フィールドのビット幅（Ｌｃ）は０〜６ビットに設定可能である。ＣＳＩ起動状態の数（Ｓｃ）がコードポイントの数すなわち
2020536400.tif 000003
よりも大きいとき、メディアアクセス制御（ＭＡＣ）制御要素（ＣＥ）は、Ｓｃの起動状態から
2020536400.tif 000004
の起動状態のサブセットを選択するために使用され、その結果、各コードポイントとＣＳＩ起動状態の間に１対１のマッピングが存在する。
2020536400.tif 000005
は、起動報告を指示しないように、ＣＳＩ要求フィールドをすべてゼロにセットする１つのコードポイントが使用されるという事実によるものである。
【００１８】
図３は、Ａ−ＣＳＩ報告の実例を提供するものである。
【００１９】
ＰＵＳＣＨ上のＳＰ−ＣＳＩ報告
図４は、ＰＵＳＣＨ上のＳＰ−ＣＳＩ報告を示すものである。図４に示されるように、ＰＵＳＣＨ上のＳＰ−ＣＳＩ報告がＤＣＩを使用して活性化され、ＣＳＩは、ＳＰ−ＣＳＩ報告がやはりＤＣＩによって非活性化されるまでＰＵＳＣＨ上で周期的に報告されることが合意されている。
【００２０】
活性化および非活性化に対応するＤＣＩのＣＲＣビットがＳＰ−ＣＳＩのＣ−ＲＮＴＩによってスクランブルをかけられることも合意されている。
【００２１】
ＰＵＳＣＨ上の半永続的報告に関して、ＳＰ−ＣＳＩ報告セッティングのセット、またはＳＰ−ＣＳＩ報告の起動状態は、Ｓｅｍｉ−ｐｅｒｓｉｓｔｅｎｔ−ｏｎ−ＰＵＳＣＨＲｅｐｏｒｔＴｒｉｇｇｅｒによって設定された上位層であり、ＳＰ−ＣＳＩのＣ−ＲＮＴＩによってスクランブルをかけられるＤＣＩにおけるＣＳＩ要求フィールドが、ＳＰ−ＣＳＩ報告または起動状態のうちの１つを活性化する。本明細書で使用されるように、ＳＰ−ＣＳＩ報告の起動状態は、ＳＰ−ＣＳＩ報告セッティング設定、チャネル測定のためのＳＰ−ＣＳＩリソースセッティング設定、および干渉測定のためのＳＰ−ＣＳＩリソースセッティング設定のうちの１つまたは複数を含み得る。単一のＳＰ−ＣＳＩリソースのみが許容されるときには、ＳＰ−ＣＳＩ報告の起動状態は１つまたは複数のＳＰ−ＣＳＩ報告セッティングと等価である。
【００２２】
ＵＥは、アップリンクＤＣＩフォーマットの復号が成功すると、ＰＵＳＣＨ上でＳＰ−ＣＳＩ報告を実施する。アップリンクＤＣＩフォーマットは１つまたは複数のＣＳＩ報告セッティング指示を含み得、関連するＣＳＩ測定リンクおよびＣＳＩリソースセッティングは設定された上位層である。ＰＵＳＣＨ上のＳＰ−ＣＳＩ報告は、広帯域、部分帯域、およびサブバンドの周波数細分性を伴うタイプＩおよびタイプＩＩのＣＳＩをサポートする。ＰＵＳＣＨリソースおよびＭＣＳは、アップリンクＤＣＩによって半永続的に割り当てられる。
【００２３】
ｇＮＢまたはＵＥは、物理（ＰＨＹ）層、ＭＡＣ層、およびＲＲＣ層を含む複数のプロトコル層から成る。ＰＨＹ層は層１（Ｌ１）とも称される。ＭＡＣ層は層２（Ｌ２）の一部分であり、無線リンク制御（ＲＬＣ）層、パケットデータ収斂プロトコル（ＰＤＣＰ）層、およびサービスデータ適合プロトコル（ＳＤＡＰ）層を含む。ＭＡＣおよびＲＲＣなど、ＰＨＹの上の層は上位層とも称される。ＭＡＣ機能の一部がデータスケジューリングを実施し、ＲＲＣ機能の一部がｇＮＢとＵＥの間の無線リンク接続を確立し、維持し、解除する。
【００２４】
許可なしの半永続的アップリンク送信（ＵＬ−ＴＷＧ）
ｇＮＢは、ＰＤＣＣＨを通じてＵＥにリソースを動的に割り当てることに加えて、設定されたスケジューリング（ＣＳ）または半永続的スケジューリング（ＳＰＳ）のために、以下のようにリソースを準静的に割り当てることができる。
−  タイプ１：ＲＲＣはアップリンクタイプ１のＣＳリソースを用いて許可を規定し、ＰＤＣＣＨは不要である。
−  タイプ２：ＲＲＣはアップリンクタイプ２のＣＳリソースを用いてＣＳ許可の周期性を規定し、ＣＳ−ＲＮＴＩに宛てたＰＤＣＣＨがＣＳリソースを活性化し、すなわち、ダウンリンク許可はＣＳのものであり、非活性化されるまで、ＲＲＣによって規定された周期性によって暗示的に再利用され得ることを示す。
タイプ１およびタイプ２はＲＲＣによってサービングセルごとに設定される。同一のサービングセルに向けて、タイプ１またはタイプ２のいずれかがＵＥに設定される。各サービングセルにおいて、同時に有効なＣＳ設定は１つしかあり得ない。繰返しとは別の再送信は、ＰＤＣＣＨによって明示的に割り当てられる。
【００２５】
設定された許可タイプ１が設定されるとき、ＲＲＣは少なくとも以下のパラメータを設定する。
−  ｃｓ−ＲＮＴＩ：再送信のためのＣＳ−ＲＮＴＩ
−  周期性：設定された許可タイプ１の周期性
−  ｔｉｍｅＤｏｍａｉｎＯｆｆｓｅｔ：時間領域におけるシステムフレーム番号（ＳＦＮ）＝０に対するリソースのオフセット
−  ｎｕｍｂｅｒＯｆＣｏｎｆＧｒａｎｔ−Ｐｒｏｃｅｓｓｅｓ：ＨＡＲＱプロセスの数
−  ｆｒｅｑｕｅｎｃｙＤｏｍａｉｎＲｅｓｏｕｒｃｅ：ＲＢに関する周波数領域リソース割り当て
−  ＴｉｍｅＤｏｍａｎＲｅｓｏｕｒｃｅ：ＯＦＤＭシンボルに関する時間領域リソース割り当て
−  ＭＣＳ＿ｉｎｄｅｘ：ＭＣＳインデックス
−  ＤＭＲＳ＿ｐｏｒｔｓ：復調参照信号（ＤＭＲＳ）ポート割り当て
【００２６】
設定された許可タイプ２が設定されるとき、ＲＲＣは少なくとも以下のパラメータを設定する。
−  ｃｓ−ＲＮＴＩ：活性化、非活性化、および再送信のためのＣＳ無線ネットワーク一時識別子（ＲＮＴＩ）
−  周期性：設定された許可タイプ２の周期性
−  ｎｕｍｂｅｒＯｆＣｏｎｆＧｒａｎｔ−Ｐｒｏｃｅｓｓｅｓ：ＨＡＲＱプロセスの数
【００２７】
上位層が、ＳＰＳ送信用に割り当てられたリソース上で送信するためのトランスポートブロック（ＴＢ）を配送しなければ、ＵＥは、ＲＲＣによって設定されたリソース上では何も送信しない。
【００２８】
許容された周期性Ｐのセットは、以下にコピーされている３８．２１４の表６．１．２．３−１に規定されており、ＣＰはサイクリックプレフィックスタイプ向けである。
2020536400.tif 000006
【発明の概要】
【００２９】
無線通信システムにおいて半永続的チャネル状態情報（ＳＰ−ＣＳＩ）報告を活性化または非活性化するための制御メッセージを有効化するためのシステムおよび方法が開示される。いくつかの実施形態では、無線通信システムにおいてＳＰ−ＣＳＩ報告を活性化または非活性化するための制御メッセージを有効化するために無線デバイスによって実施される方法は、ＳＰ−ＣＳＩ報告の活性化または非活性化のための制御メッセージを受信することを含む。この方法は、制御メッセージに基づき、ＳＰ−ＣＳＩ報告を活性化するべきかそれとも非活性化するべきかを判定することと、判定に従ってＳＰ−ＣＳＩ報告を活性化または非活性化することとをさらに含む。このように、無線デバイスは、ＳＰ−ＳＣＩ報告を活性化する制御メッセージとＳＰ−ＳＣＩ報告を非活性化する制御メッセージを識別することが可能になる。
【００３０】
いくつかの実施形態では、制御メッセージは、物理ダウンリンク制御チャネル（ＰＤＣＣＨ）上で搬送されるダウンリンク制御情報（ＤＣＩ）を含む。いくつかの実施形態では、制御メッセージは、ＳＰ−ＣＳＩ報告に関連した無線デバイスの識別子を用いてスクランブルをかけられる。いくつかの実施形態では、ＳＰ−ＣＳＩ報告に関連した無線デバイスの識別子は、無線デバイスのＳＰ−ＣＳＩセル無線ネットワーク一時識別子（ＳＰ−ＣＳＩ−ＲＮＴＩ）である。
【００３１】
いくつかの実施形態では、制御メッセージは、制御メッセージがＳＰ−ＣＳＩ報告を活性化するためのものかそれとも非活性化するためのものかを指示する情報を含み、判定することは、制御メッセージに含まれた情報に基づき、ＳＰ−ＣＳＩ報告を活性化するべきかそれとも非活性化するべきかを判定することを含む。さらに、いくつかの実施形態では、この情報は、制御メッセージの１つまたは複数のビットフィールドにおける設定されたビット値を含み、制御メッセージの１つまたは複数のビットフィールドは、他の目的のために規定されるが、ＳＰ−ＣＳＩ報告を活性化するべきかそれとも非活性化するべきかを指示するために制御メッセージがＳＰ−ＣＳＩセル無線ネットワーク一時識別子を用いてスクランブルをかけられるとき、再利用される。さらに、いくつかの実施形態では、１つまたは複数のビットフィールドは、新データインジケータおよび／または冗長バージョン（ＲＶ）をもたらすように規定された１つまたは複数のビットフィールドを含む。いくつかの実施形態では、ＳＰ−ＣＳＩ報告を活性化するとき、ＳＰ−ＣＳＩを活性化するための１つまたは複数のビットフィールドは、新データインジケータを通信するように規定されたフィールド、冗長バージョン（ＲＶ）を通信するように規定されたフィールド、物理アップリンク共有チャネル（ＰＵＳＣＨ）のための送信電力制御（ＴＰＣ）命令を通信するように規定されたフィールド、および／またはハイブリッド自動再送要求（ＨＡＲＱ）プロセス番号を通信するように規定されたフィールドのうちの１つまたは複数を含む。いくつかの実施形態では、ＳＰ−ＣＳＩ報告を活性化するとき、１つまたは複数のビットフィールドにおけるビットがすべてゼロにセットされていると、ＳＰ−ＣＳＩを活性化するための制御メッセージが有効化される。いくつかの実施形態では、ＳＰ−ＣＳＩ報告を非活性化するとき、ＳＰ−ＳＣＩ報告を非活性化するための１つまたは複数のビットフィールドは、新データインジケータを通信するように規定されたフィールド、冗長バージョン（ＲＶ）を通信するように規定されたフィールド、ＰＵＳＣＨ向けのＴＰＣ命令を通信するように規定されたフィールド、ＨＡＲＱプロセス番号を通信するように規定されたフィールド、変調・符号化方式（ＭＣＳ）を通信するように規定されたフィールド、周波数領域リソース割り当てを通信するように規定されたフィールド、および／または時間領域リソース割り当てを通信するように規定されたフィールドのうちの１つまたは複数を含む。いくつかの実施形態では、ＳＰ−ＣＳＩ報告を非活性化するとき、ＭＣＳを通信するためのビットフィールド、周波数領域リソース割り当てを通信するためのビットフィールド、および時間領域リソース割り当てを通信するためのビットフィールドのうちの１つまたは複数におけるすべてのビットが１にセットされており、かつ新データインジケータを通信するためのビットフィールド、冗長バージョン（ＲＶ）を通信するためのビットフィールド、物理アップリンク共有チャネル用の送信電力制御命令を通信するためのビットフィールド、およびＨＡＲＱプロセス番号を通信するためのビットフィールドのうちの１つまたは複数におけるビットがすべてゼロにセットされている場合には、ＳＰ−ＣＳＩ報告を非活性化するための１つまたは複数のフィールド、ＳＰ−ＣＳＩを非活性化するための制御メッセージが有効化される。
【００３２】
無線デバイスの実施形態も開示される。いくつかの実施形態では、無線通信システムにおけるＳＰ−ＣＳＩ報告を活性化または非活性化するための制御メッセージを有効化するための無線デバイスは、１つまたは複数の送信器、１つまたは複数の受信器、ならびに１つまたは複数の送信器および１つまたは複数の受信器に関連した処理回路を含む。処理回路は、無線デバイスに、ＳＰ−ＣＳＩ報告を活性化または非活性化するための制御メッセージを受信させるように設定されている。処理回路は、無線デバイスに、制御メッセージに基づき、ＳＰ−ＣＳＩ報告を活性化するべきかそれとも非活性化するべきかを判定させ、判定に従ってＳＰ−ＣＳＩ報告を活性化または非活性化させるようにさらに設定されている。
【００３３】
基地局によって実施される方法の実施形態も開示される。いくつかの実施形態では、無線通信システムにおけるＳＰ−ＣＳＩ報告の活性化または非活性化を可能にするために基地局によって実施される方法は、無線デバイスに、ＳＰ−ＣＳＩ報告を活性化または非活性化するための制御メッセージを送信することを含む。
【００３４】
いくつかの実施形態では、制御メッセージはＰＤＣＣＨ上で搬送されるＤＣＩを含む。いくつかの実施形態では、制御メッセージは、ＳＰ−ＣＳＩ報告に関連した無線デバイスの識別子を用いてスクランブルをかけられる。いくつかの実施形態では、ＳＰ−ＣＳＩ報告に関連した無線デバイスの識別子は、無線デバイスのＳＰ−ＣＳＩのＣ−ＲＮＴＩである。
【００３５】
いくつかの実施形態では、制御メッセージは、制御メッセージがＳＰ−ＣＳＩ報告を活性化するためのものかそれとも非活性化するためのものかを指示する情報を含む。さらに、いくつかの実施形態では、この情報は、制御メッセージの１つまたは複数のビットフィールドの中に、設定されたビット値を含み、制御メッセージの１つまたは複数のビットフィールドは、他の目的のために規定されるが、ＳＰ−ＣＳＩ報告を活性化するべきかそれとも非活性化するべきかを指示するために制御メッセージがＳＰ−ＣＳＩセル無線ネットワーク一時識別子を用いてスクランブルをかけられるとき、再利用される。さらに、いくつかの実施形態では、１つまたは複数のビットフィールドは、新データインジケータおよび／または冗長バージョン（ＲＶ）をもたらすように規定された１つまたは複数のビットフィールドを含む。いくつかの実施形態では、ＳＰ−ＣＳＩ報告を活性化するとき、ＳＰ−ＣＳＩを活性化するための１つまたは複数のビットフィールドは、新データインジケータを通信するように規定されたフィールド、冗長バージョン（ＲＶ）を通信するように規定されたフィールド、物理アップリンク共有チャネルのための送信電力制御命令を通信するように規定されたフィールド、および／またはハイブリッド自動再送要求（ＨＡＲＱ）プロセス番号を通信するように規定されたフィールドのうちの１つまたは複数を含む。いくつかの実施形態では、ＳＰ−ＣＳＩ報告を活性化するとき、１つまたは複数のビットフィールドにおけるビットがすべてゼロにセットされていると、ＳＰ−ＣＳＩを活性化するための制御メッセージが有効化される。いくつかの実施形態では、ＳＰ−ＣＳＩ報告を非活性化するとき、ＳＰ−ＳＣＩ報告を非活性化するための１つまたは複数のビットフィールドは、新データインジケータを通信するように規定されたフィールド、冗長バージョン（ＲＶ）を通信するように規定されたフィールド、ＰＵＳＣＨ向けのＴＰＣ命令を通信するように規定されたフィールド、ＨＡＲＱプロセス番号を通信するように規定されたフィールド、ＭＣＳを通信するように規定されたフィールド、周波数領域リソース割り当てを通信するように規定されたフィールド、および／または時間領域リソース割り当てを通信するように規定されたフィールドのうちの１つまたは複数を含む。いくつかの実施形態では、ＳＰ−ＣＳＩ報告を非活性化するとき、ＭＣＳを通信するためのビットフィールド、周波数領域リソース割り当てを通信するためのビットフィールド、および時間領域リソース割り当てを通信するためのビットフィールドのうちの１つまたは複数におけるすべてのビットが１にセットされており、かつ新データインジケータを通信するためのビットフィールド、冗長バージョン（ＲＶ）を通信するためのビットフィールド、物理アップリンク共有チャネル用の送信電力制御命令を通信するためのビットフィールド、およびＨＡＲＱプロセス番号を通信するためのビットフィールドのうちの１つまたは複数におけるビットがすべてゼロにセットされている場合には、ＳＰ−ＣＳＩ報告を非活性化するための１つまたは複数のフィールド、ＳＰ−ＣＳＩを非活性化するための制御メッセージが有効化される。
【００３６】
基地局の実施形態も開示される。いくつかの実施形態では、無線通信システムにおけるＳＰ−ＣＳＩ報告の活性化または非活性化を可能にするための基地局が備える処理回路は、基地局に、ＳＰ−ＣＳＩ報告を活性化または非活性化するための制御メッセージを無線デバイスへ送らせるように設定されている。
【００３７】
本明細書に組み込まれて一部分を形成する添付図面は、本開示のいくつかの態様を図示し、説明とともに、本開示の原理について説明するのに役立つものである。
【図面の簡単な説明】
【００３８】
【図１】第３世代パートナーシッププロジェクト（３ＧＰＰ）新無線（ＮＲ）物理リソースの一例を示す図である。
【図２】１５キロヘルツ（ｋＨｚ）のサブキャリア間隔を有するＮＲ時間領域構造を示す図である。
【図３】非周期的チャネル状態情報（Ａ−ＣＳＩ）報告を示す図である。
【図４】半永続的ＣＳＩ（ＳＰ−ＣＳＩ）報告を示す図である。
【図５】本開示の実施形態が実施され得る無線通信システムの一例を示す図である。
【図６】本開示のいくつかの実施形態による、ＳＰ−ＣＳＩ報告を活性化／非活性化するためのネットワークノード（たとえば基地局）および無線デバイス（たとえばユーザ機器デバイス（ＵＥ））の動作の一例を示す図である。
【図７】本開示の第１の実施形態による、活性化と非活性化の間の切換えの一例を示す図である。
【図８】本開示の第１の実施形態による、ネットワークノード（たとえば基地局）および無線デバイス（たとえばＵＥ）の動作の一例を示す図である。
【図９】本開示の第２の実施形態による、ＳＰ−ＣＳＩの再設定をサポートするためにＳＰ−ＣＳＩを活性化したり非活性化したりするために、既存の新規データ指示（ＮＤＩ）ビットフィールドを再利用することの一例を示す図である。
【図１０】本開示の別の実施形態による、ＳＰ−ＣＳＩの活性化および非活性化を別個のＳＰ−ＣＳＩ起動状態として規定する一例を示す図である。
【図１１】本開示の様々な他の実施形態のうちのいずれかによる、ネットワークノード（たとえば基地局）および無線デバイス（たとえばＵＥ）の動作の一例を示す図である。
【図１２】本開示の別の実施形態の一例における、受信されたダウンリンク制御情報（ＤＣＩ）メッセージに依拠する状態遷移の図である。
【図１３】本開示の別の実施形態による、ネットワークノード（たとえば基地局）および無線デバイス（たとえばＵＥ）の動作の一例を示す図である。
【図１４】無線アクセスノードまたは基地局の例示の実施形態を示す図である。
【図１５】無線アクセスノードまたは基地局の例示の実施形態を示す図である。
【図１６】無線アクセスノードまたは基地局の例示の実施形態を示す図である。
【図１７】無線デバイスまたはＵＥの例示の実施形態を示す図である。
【図１８】無線デバイスまたはＵＥの例示の実施形態を示す図である。
【図１９】本開示の実施形態が実施され得る通信システムの一例を示す図である。
【図２０】本開示のいくつかの実施形態によるホストコンピュータ、基地局、およびＵＥのより詳細な図示である。
【図２１】図１９および図２０のものなどの通信システムにおいて実施される方法の一実施形態を示す流れ図である。
【図２２】図１９および図２０のものなどの通信システムにおいて実施される方法の一実施形態を示す流れ図である。
【図２３】図１９および図２０のものなどの通信システムにおいて実施される方法の一実施形態を示す流れ図である。
【図２４】図１９および図２０のものなどの通信システムにおいて実施される方法の一実施形態を示す流れ図である。
【発明を実施するための形態】
【００３９】
以下で明らかにされる実施形態は、当業者が実施形態を実施するのを可能にするための情報を表し、実施形態を実施する最善の方式を例証するものである。添付図面に照らして以下の説明を読めば、当業者なら、本開示の概念を理解し、本明細書でより詳しくは扱われないこれらの概念の適用を認識するであろう。これらの概念および適用が本開示の範囲に含まれることを理解されたい。
【００４０】
無線ノード：本明細書で使用されるように、「無線ノード」は無線アクセスノードまたは無線デバイスのいずれかである。
【００４１】
無線アクセスノード：本明細書で使用されるように、「無線アクセスノード」または「無線ネットワークノード」は、無線で信号を送信および／または受信するように動作するセルラー通信ネットワークの無線アクセスネットワークにおける任意のノードである。無線アクセスノードのいくつかの例には、限定されるものではないが、基地局（たとえば第３世代パートナーシッププロジェクト（３ＧＰＰ）の第５世代（５Ｇ）のＮＲネットワークにおける新無線（ＮＲ）基地局（ｇＮＢ）または３ＧＰＰのＬｏｎｇ  Ｔｅｒｍ  Ｅｖｏｌｕｔｉｏｎ（ＬＴＥ）ネットワークにおける拡張型またはエボルブドノードＢ（ｅＮＢ））、大電力または大規模な基地局、低電力の基地局（たとえば小型基地局、超小型基地局、住宅ｅＮＢなど）、および中継ノードが含まれる。
【００４２】
コアネットワークノード：本明細書で使用されるように、「コアネットワークノード」は、コアネットワークにおける任意のタイプのノードである。コアネットワークノードのいくつかの例には、たとえばモビリティ管理エンティティ（ＭＭＥ）、パケットデータネットワークゲートウェイ（Ｐ−ＧＷ）、サービス性能エクスポージャ機能（ＳＣＥＦ）などが含まれる。
【００４３】
無線デバイス：本明細書で使用されるように、「無線デバイス」は、無線アクセスノードと無線で信号を送信および／または受信することによってセルラー通信ネットワークにアクセスすることができる（すなわちセルラー通信ネットワークによってサーブされる）任意のタイプのデバイスである。無線デバイスのいくつかの例には、限定されるものではないが、３ＧＰＰネットワークにおけるユーザ機器（ＵＥ）デバイスおよびマシンタイプ通信（ＭＴＣ）デバイスが含まれる。
【００４４】
ネットワークノード：本明細書で使用されるように、「ネットワークノード」は、無線アクセスネットワークの一部分またはセルラー通信ネットワーク／システムのコアネットワークのいずれかである任意のノードである。
【００４５】
本明細書で与えられる説明は、３ＧＰＰのセルラー通信システムに的を絞っており、そのため、３ＧＰＰの用語または３ＧＰＰの用語に類似の用語がしばしば使用されることに留意されたい。しかしながら、本明細書で開示される概念は、３ＧＰＰシステムに限定されない。
【００４６】
本明細書の説明では「セル」という用語に言及することがあるが、特に５ＧのＮＲ概念に関して、セルの代わりにビームが使用され得、そのため、本明細書で説明される概念はセルとビームの両方に対して同様に適用可能であることに留意することが重要である。
【００４７】
現在、一定の課題が存在する。ＵＥは、半永続的チャネル状態情報（ＳＰ−ＣＳＩ）についてはダウンリンク制御情報（ＤＣＩ）（本明細書ではＤＣＩメッセージとも称される）を認識することができるが、ＤＣＩがＳＰ−ＣＳＩのセル無線ネットワーク一時識別子（Ｃ−ＲＮＴＩ）によってスクランブルをかけられる場合、ＳＰ−ＣＳＩの活性化と非活性化（すなわち解放）を識別するやり方はいまだ問題である。アップリンクの半永続的スケジューリング（ＳＰＳ）にも同じ課題が存在する。
【００４８】
本開示の一定の態様およびそれらの実施形態は、前述の課題または他の課題に対する解決策を提供し得るものである。以下の選択肢が提案される。
・選択肢１：ＳＰ−ＣＳＩの活性化と非活性化の間を切り換える
・選択肢２：そのために、いくつかのＤＣＩビットフィールドを再利用する
・選択肢３：活性化および非活性化の指示のために、アップリンクＤＣＩにおいて２つ以上のビットフィールドを再利用する
・選択肢４：チャネル状態情報（ＣＳＩ）要求フィールドの１ビットを活性化／非活性化のために使用し、残りのビットをＳＰ−ＣＳＩ起動状態の選択のために使用する
・選択肢５：活性化／非活性化を、ＳＰ−ＣＳＩ起動状態の一部分として規定する
・選択肢６：アップリンク許可を免除されたデータ送信とＳＰ−ＣＳＩとの活性化／非活性化を統合する
【００４９】
一定の実施形態は、以下の１つまたは複数の技術的利点を提供し得る。以下の解決策により、ＵＥは、ＳＰ−ＣＳＩ報告のための活性化ＤＣＩと非活性化ＤＣＩを識別することが可能になる。
【００５０】
図５は、本開示のいくつかの実施形態によるセルラー通信ネットワーク５００の一例を示すものである。本明細書で説明される実施形態では、セルラー通信ネットワーク５００は５ＧのＮＲネットワークである。この例では、セルラー通信ネットワーク５００が含む基地局５０２−１および５０２−２は、５ＧのＮＲにおけるｇＮＢｓと称され、対応するマクロセル５０４−１および５０４−２を制御する。基地局５０２−１および５０２−２は、一般に、本明細書では総体として基地局５０２と称され、個々に基地局５０２と称される。同様に、マクロセル５０４−１および５０４−２は、一般に、本明細書では総体としてマクロセル５０４と称され、個々にマクロセル５０４と称される。セルラー通信ネットワーク５００には、対応する小さいセル５０８−１〜５０８−４を制御する複数の低電力ノード５０６−１〜５０６−４も含まれ得る。低電力ノード５０６−１〜５０６−４は、小さい基地局（ピコ基地局またはフェムト基地局など）またはリモート無線ヘッド（ＲＲＨ）等であり得る。特に、図示されていないが、小さいセル５０８−１〜５０８−４のうちの１つまたは複数が、代わりに基地局５０２によってもたらされ得る。低電力ノード５０６−１〜５０６−４は、本明細書では、一般に、総体として低電力ノード５０６と称され、個々に低電力ノード５０６と称される。同様に、小さいセル５０８−１〜５０８−４は、本明細書では、一般に、総体として小さいセル５０８と称され、個々に小さいセル５０８と称される。基地局５０２（および任意選択で低電力ノード５０６）はコアネットワーク５１０に接続されている。
【００５１】
基地局５０２および低電力ノード５０６は、対応するセル５０４および５０８における無線デバイス５１２−１〜５１２−５にサービスを提供する。無線デバイス５１２−１〜５１２−５は、本明細書では、一般に、総体として無線デバイス５１２と称され、個々に無線デバイス５１２と称される。無線デバイス５１２は、本明細書ではＵＥと称されることもある。
【００５２】
物理アップリンク共有チャネル（ＰＵＳＣＨ）上でのＳＰ−ＣＳＩ報告の活性化および非活性化のための様々な実施形態を以下で説明する。この点に関して、図６は、本開示のいくつかの実施形態によってＳＰ−ＣＳＩ報告を活性化／非活性化するためのネットワークノード（たとえば基地局５０２）および無線デバイス５１２の動作の一例を示すものである。図示のように、ネットワークノードは、無線デバイス５１２に、ＳＰ−ＳＣＩ報告を活性化または非活性化するための制御メッセージ（たとえば本明細書ではＵＬのＤＣＩメッセージとも称されるアップリンク（ＵＬ）ＤＣＩ）を送る（ステップ６００）。いくつかの実施形態では、以下で詳細に説明されるように、制御メッセージはまた、アップリンク許可を免除されたデータ送信のためのものである。
【００５３】
以下で説明されるように、本開示には様々な実施形態がある。いくつかの実施形態では、制御メッセージは、無線デバイス５１２の識別子（たとえば無線デバイス５１２のＳＰ−ＣＳＩのＣ−ＲＮＴＩ）を用いてスクランブルをかけられるＵＬのＤＣＩメッセージであり、無線デバイス５１２は、それ自体のＳＰ−ＣＳＩのＣ−ＲＮＴＩを用いてスクランブルをかけられるＵＬのＤＣＩメッセージを受信したとき、ＳＰ−ＣＳＩ報告の活性化と非活性化の間を切り換えられる。いくつかの他の実施形態では、制御メッセージは、無線デバイス５１２の識別子（たとえば無線デバイス５１２のＳＰ−ＣＳＩのＣ−ＲＮＴＩ）を用いてスクランブルをかけられるＵＬのＤＣＩメッセージであり、制御メッセージがＳＰ−ＣＳＩ報告を活性化するためのものかそれとも非活性化するためのものかを指示する情報を含む。以下で詳細に説明されるように、いくつかの実施形態では、この情報は、他の目的のために規定される１つまたは複数のフィールドにおける１つまたは複数のビットでよく、以下でより詳細に説明されるように、メッセージがＳＰ−ＣＳＩ報告を活性化するためのものかそれとも非活性化するためのものかを指示するために再利用される。いくつかの他の実施形態では、この情報は、ＵＬのＤＣＩメッセージに含まれるＣＳＩ要求フィールドの１つまたは複数のビットである。なおその上に、いくつかの実施形態では、この情報は、ＵＬのＤＣＩメッセージによって指示されるＳＰ−ＣＳＩ起動状態によって指示され、ＳＰ−ＣＳＩ報告の活性化および非活性化のために別個のＳＰ−ＣＳＩ起動状態が規定されている。最後に、いくつかの他の実施形態では、ＳＰ−ＣＳＩ報告を活性化するべきかそれとも非活性化するべきかということを判定するため、また、少なくともいくつかの実施形態では、無線デバイス５１２において、アップリンク許可を免除された通信を活性化するべきかそれとも非活性化するべきかを判定するために、ＵＬのＤＣＩメッセージに含まれる情報と無線デバイス５１２の現在の状態が両方とも考慮に入れられる。
【００５４】
無線デバイス５１２は、制御メッセージを受信したとき、制御メッセージがＳＰ−ＣＳＩ報告を活性化するためのものかそれとも非活性化するためのものかを判定する（ステップ６０２）。いくつかの実施形態では、無線デバイス５１２はまた、メッセージはアップリンク許可を免除されたデータ送信を活性化するためのものかそれとも非活性化するためのものかを判定する。いくつかの実施形態では、このプロセスは、制御メッセージが無線デバイス５１２のアイデンティティ（たとえばＳＰ−ＣＳＩのＣ−ＲＮＴＩ）を用いてスクランブルをかけられているかどうかを判定することと、スクランブルをかけられている場合には、本明細書で説明したいずれかの実施形態に従って、メッセージに基づき、ＳＰ−ＣＳＩ報告を活性化するべきかそれとも非活性化するべきかを判定することに進むこととを含む。次いで、無線デバイス５１２は、ステップ６０２の判定に従ってＳＰ−ＣＳＩ報告を活性化または非活性化する（ステップ６０４）。
【００５５】
次に、複数のより詳細な実施形態を説明する。これらの実施形態は、単独でも任意の所望の組合せでも使用され得ることに留意されたい。
【００５６】
実施形態１：ＳＰ−ＣＳＩの活性化と非活性化を切り換える
ＳＰ−ＣＳＩの活性化および非活性化を指示するためのやり方の１つには、活性化と非活性化（すなわち解放）の間を切り換えるものがある。この手法では、ＳＰ−ＣＳＩのＣ−ＲＮＴＩを用いてスクランブルをかけられている第１の送信されたＵＬのＤＣＩは、ＳＰ−ＣＳＩを活性化するためのものである。第１のＳＰ−ＣＳＩのＤＣＩに続く第２のＳＰ−ＣＳＩのＤＣＩは、第１のＳＰ−ＣＳＩのＤＣＩによって活性化されたＳＰ−ＣＳＩを非活性化（すなわち解放）するためのものである。第２のＳＰ−ＣＳＩに続く第３のＳＰ−ＣＳＩのＤＣＩは新規のＳＰ−ＣＳＩを活性化するためのものであり、第３のＳＰ−ＣＳＩのＤＣＩに続く第４のＳＰ−ＣＳＩのＤＣＩは、第３のＳＰ−ＣＳＩのＤＣＩによって活性化されたＳＰ−ＣＳＩを非活性化するためのもの、などである。図７には一例が示されている。
【００５７】
この切り換える手法には、ＰＵＳＣＨ上の進行中のＳＰ−ＣＳＩ報告の再設定を妨げる可能性があるという短所がある。たとえば、ｇＮＢは、進行中のＳＰ−ＣＳＩについてリソース割り当てまたは変調次数を変化させたいと望むことがあるが、切り換える手法を用いると、ＵＥがＳＰ−ＣＳＩのＤＣＩの再設定を非活性化として扱う可能性があるので、これができない。加えて、ＵＥがたとえば復号エラーによってＳＰ−ＣＳＩのＤＣＩを逃した場合には、後続のＳＰ−ＣＳＩ報告は不適当であろう。
【００５８】
この実施形態の一変形形態では、ＰＵＳＣＨ上のＳＰ−ＣＳＩ報告を活性化した第１のＳＰ−ＣＳＩのＤＣＩに続く第２のＳＰ−ＣＳＩのＤＣＩが第１のＳＰ−ＣＳＩと同一のビットフィールド値を含んでいる場合には、ＵＥは、第２のＳＰ−ＣＳＩのＤＣＩがＰＵＳＣＨ上のＳＰ−ＣＳＩ報告を非活性化したと想定することができる。たとえば、第１のＳＰ−ＣＳＩのＤＣＩおよび第２のＳＰ−ＣＳＩのＤＣＩによって指示された変調次数またはリソース割り当てが同一であれば、ＵＥは、第２のＳＰ−ＣＳＩのＤＣＩがＰＵＳＣＨ上のＳＰ−ＣＳＩ報告を非活性化したと想定することができる。しかしながら、第１のＳＰ−ＣＳＩのＤＣＩと第２のＳＰ−ＣＳＩのＤＣＩの間で１つまたは複数のビットフィールド値が異なる場合には、ＵＥは、第２のＳＰ−ＣＳＩのＤＣＩがＰＵＳＣＨ上のＳＰ−ＣＳＩ報告を再設定したと想定することができる。たとえば、第１のＳＰ−ＣＳＩのＤＣＩおよび第２のＳＰ−ＣＳＩのＤＣＩによって指示された変調次数またはリソース割り当てが異なる場合には、ＵＥは、第２のＳＰ−ＣＳＩのＤＣＩがＰＵＳＣＨ上のＳＰ−ＣＳＩ報告を再設定したと想定することができる。
【００５９】
図８は、実施形態１によるネットワークノード（たとえば基地局５０２）および無線デバイス５１２の動作の一例を示すものである。図示のように、ネットワークノードは、無線デバイス５１２に、ＳＰ−ＣＳＩ報告を活性化／非活性化するための第１の制御メッセージ（たとえば無線デバイス５１２のアイデンティティ（たとえばＳＰ−ＣＳＩのＣ−ＲＮＴＩ）を用いてスクランブルをかけられた第１のＵＬのＤＣＩメッセージ）を送る（ステップ８００）。無線デバイス５１２は、第１の制御メッセージを受信すると、制御メッセージが無線デバイス５１２によってＳＰ−ＣＳＩ報告の活性化または非活性化のために受信された第１の制御メッセージであるので、制御メッセージがＳＰ−ＣＳＩ報告を活性化するためのものであると判定する（ステップ８０２）。そのため、無線デバイス５１２はＳＰ−ＣＳＩ報告を活性化する（ステップ８０４）。
【００６０】
その後、ネットワークノードは、ＳＰ−ＣＳＩ報告を活性化／非活性化するための第２の制御メッセージ（たとえば無線デバイス５１２のアイデンティティ（たとえばＳＰ−ＣＳＩのＣ−ＲＮＴＩ）を用いてスクランブルをかけられた第２のＵＬのＤＣＩメッセージ）を送る（ステップ８０６）。無線デバイス５１２は、第２の制御メッセージを受信すると、制御メッセージが無線デバイス５１２によってＳＰ−ＣＳＩ報告の活性化または非活性化のために受信された第２の制御メッセージであるので、制御メッセージがＳＰ−ＣＳＩ報告を非活性化するためのものであると判定する（ステップ８０８）。そのため、無線デバイス５１２はＳＰ−ＣＳＩ報告を非活性化する（ステップ８１０）。プロセスはこのように継続され得る。このようにして、無線デバイス５１２は、制御メッセージを受信したとき、ＳＰ−ＣＳＩ報告の活性化と非活性化の間を切り換える。
【００６１】
特に、いくつかの実施形態では、ステップ８０８においてＳＰ−ＣＳＩ報告を非活性化すると判定することは、第２の制御メッセージの１つまたは複数の所定のフィールドにおける値が、第１の制御メッセージの同じフィールドにおける値と同一であるかどうかを判定することをさらに含む。同一であれば、無線デバイス５１２は、ＳＰ−ＣＳＩ報告を非活性化するべきと判定する。同一でなければ、無線デバイス５１２は、ＳＰ−ＣＳＩ報告の活性化された状態を継続するべきであると判定する。
【００６２】
実施形態２〜５：ＵＬのＤＣＩは、メッセージがＳＰ−ＣＳＩ報告を活性化するためのものかそれとも非活性化するためのものかを指示する情報を含む。
実施形態２  −  活性化や非活性化を指示するためのＵＬのＤＣＩにおけるいくつかのビットフィールドを再利用する。ＰＵＳＣＨ上のアップリンクデータ送信のために、ｇＮＢにおいて復号エラーが生じたとき、ｇＮＢはＵＥによるデータの再送信を要求してよい。この目的のために、ＵＥは、同一のハイブリッド自動再送要求（ＨＡＲＱ）プロセスのためにｇＮＢから新規データ指示（ＮＤＩ）を伴うＤＣＩが受信されるまで、それ自体の送信バッファの中に元データのコピーを保存する。再送信が必要とされるとき、ｇＮＢは、一般的には「新規データ指示」ビットが「０」にセットされ、「冗長バージョン（ＲＶ）」ビットフィールドが所望値にセットされたＤＣＩで、別のアップリンク許可を送る。
【００６３】
ＰＵＳＣＨ上のＳＰ−ＣＳＩ報告については、復号エラーが生じたとき、再送信されたＳＰ−ＣＳＩが古くなっている可能性があるため、あるいは第１の送信と再送信の間で新規のＣＳＩの測定が利用可能であっても、ＵＥがＣＳＩの古いコピーを保存する必要があるのでＳＰ−ＣＳＩ更新が不可能なため、再送信は不要である。後者の場合には、古いＣＳＩを再送信するのではなく新規の更新されたＣＳＩを報告する方がよいであろう。再送信なしで、アップリンクＤＣＩの「新規データ指示」フィールドおよび「冗長バージョン（ＲＶ）」フィールドは、ＳＰ−ＣＳＩの活性化および非活性化に関して冗長である。したがって、これらはＳＰ−ＣＳＩの活性化や非活性化を指示するために使用され得る。
【００６４】
一実施形態では、「新規データ指示」ビットはＳＰ−ＣＳＩの活性化や非活性化を指示するために使用され得る。ＵＥは、それ自体のＳＰ−ＣＳＩのＣ−ＲＮＴＩによってスクランブルをかけられたＵＬのＤＣＩを検知した後、「新規データ指示」ビットがＳＰ−ＣＳＩを活性化するためのものかそれとも非活性化するためのものかを判定するためにさらに検査することができる。たとえば、このビットは、活性化するための「０」や非活性化するための「１」にセットされている。これによって、新規のリソース割り当てまたは新規の変調次数など新規のパラメータを伴う新規の活性化ＤＣＩを送ることにより、進行中のＳＰ−ＣＳＩの再設定が可能になる。図９には一例が示されている。
【００６５】
あるいは、この目的のために、ＵＬのＤＣＩにおける２ビットの「冗長バージョン（ＲＶ）」フィールドが使用され得る。たとえば、この２ビットは、活性化するための「００」や非活性化するための「１１」にセットされている。
【００６６】
実施形態３  −  活性化や非活性化を指示するためのＵＬのＤＣＩにおける複数のビットフィールドを再利用する。ＳＰ−ＣＳＩの活性化または非活性化に関する有効化の信頼性をさらに高めるために、ＵＬのＤＣＩにおける複数のビットフィールドが使用されてよい。
【００６７】
ＵＥは、ＳＰ−ＣＳＩの活性化を有効化するために、ＤＣＩのサイクリック冗長検査（ＣＲＣ）ビットがＳＰ−ＣＳＩのＣ−ＲＮＴＩによってスクランブルをかけられているかどうかを検証することによって物理ダウンリンク制御チャネル（ＰＤＣＣＨ）におけるＳＰ−ＣＳＩのＤＣＩを最初に有効化する。一例として、ＵＥは、以下の条件のうちの少なくとも１つまたはすべてが満たされていることをさらに検証する。
・「新データインジケータ」ビットが「０」にセットされていること
・「冗長バージョン（ＲＶ）」ビットがすべて「０」にセットされていること
・「スケジューリングされたＰＵＳＣＨ向けの送信電力制御（ＴＰＣ）命令」ビットがすべて「０」にセットされていること
・「ＨＡＲＱプロセス番号」ビットがすべて「０」にセットされていること
【００６８】
ＵＥは、ＳＰ−ＣＳＩの非活性化すなわち解放を有効化するために、ＤＣＩのＣＲＣビットがＳＰ−ＣＳＩのＣ−ＲＮＴＩによってスクランブルをかけられているかどうかを検証することによってＰＤＣＣＨにおけるＳＰ−ＣＳＩのＤＣＩを最初に有効化する。一例として、ＵＥは、以下の条件のうちの少なくとも１つまたはすべてが満たされているかどうかをさらに検証する。
・「新データインジケータ」ビットが「０」にセットされていること
・「冗長バージョン（ＲＶ）」ビットがすべて「０」にセットされていること
・「スケジューリングされたＰＵＳＣＨ向けのＴＰＣ命令」ビットがすべて「０」にセットされていること
・「ＨＡＲＱプロセス番号」ビットがすべて「０」にセットされていること
・「変調・符号化方式および冗長バージョン（ＲＶ）」のビットがすべて「１」にセットされていること
・「周波数領域リソース割り当て」ビットがすべて「１」にセットされていること
・「時間領域リソース割り当て」ビットがすべて「１」にセットされていること
【００６９】
実施形態４  −  ＵＬのＤＣＩのＣＳＩ要求フィールドにおける１ビットを、活性化や非活性化を指示するために使用する。別の選択肢には、活性化や非活性化を指示するためにＣＳＩ要求ビットフィールドの１ビットを使用して、ＣＳＩ要求フィールドにおける残りのビットはＳＰ−ＣＳＩ起動状態を選択するために使用するものがある。しかしながら、ＣＳＩ要求フィールドにおける設定されたビット数が少ないとき、これによって、サポートされ得るＳＰ−ＣＳＩ起動状態の数が減少することになる。その上、ＣＳＩ要求フィールドのために１ビットしか設定されなければ、この選択肢には、複数のＳＰ−ＣＳＩ起動状態は許容しないという制限がある。ＣＳＩ要求フィールドのために設定されるビットがゼロのとき、この選択肢は正常に機能しない。
【００７０】
実施形態５  −  活性化／非活性化をＳＰ−ＣＳＩ起動状態指示の一部分として規定する。別の選択肢には、ＳＰ−ＣＳＩ起動状態の一部分としてＳＰ−ＣＳＩの活性化および非活性化を含むものがあり、この場合、それぞれのＳＰ−ＣＳＩ報告設定およびリソース設定のために、図１０に示されるように、活性化のための状態と非活性化のための状態の２つの状態が設定される。ＣＳＩ要求フィールドのコードポイントは、共通のＳＰ−ＣＳＩ報告設定、リソース設定、およびＳＰ−ＣＳＩの活性化または非活性化を指示するために使用される。図１０を一例として使用すると、ＳＰ−ＣＳＩ状態＃ｋがＤＣＩのＣＳＩ要求フィールドによって指示されたとき、これはＳＰ−ＣＳＩを活性化するためのものである。そうでなければ、ＳＰ−ＣＳＩ状態＃ｋ＋１がＤＣＩのＣＳＩ要求フィールドによって指示された場合、これはＳＰ−ＣＳＩを非活性化するためのものである。
【００７１】
さらに別の実施形態では、ＳＰ−ＣＳＩ報告の活性化は同時に１つしかサポートしないという制限がある。非活性化のためにはＣＳＩ要求フィールドの１つのコードポイントだけを確保すればよく、たとえばＣＳＩ要求＝「０」とする。
【００７２】
図１１は、実施形態２〜５のいずれかによるネットワークノード（たとえば基地局５０２）および無線デバイス５１２の動作の一例を示すものである。図示のように、ネットワークノードは、無線デバイス５１２に、ＳＰ−ＣＳＩ報告の活性化または非活性化を指示する情報を含む制御メッセージ（たとえば無線デバイス５１２のアイデンティティ（たとえばＳＰ−ＣＳＩのＣ−ＲＮＴＩ）を用いてスクランブルをかけられたＵＬのＤＣＩメッセージ）を送る（ステップ１１００）。実施形態２に関連して、制御メッセージに含まれる情報は、ＳＰ−ＣＳＩ報告の活性化または非活性化を指示するために再利用されるフィールドの１つまたは複数のビットである。実施形態３では、この情報は制御メッセージの複数のフィールドのビットを含む。実施形態４では、この情報に含まれるＤＣＩのＣＳＩ要求フィールドのビットは、メッセージがＳＰ−ＣＳＩ報告を活性化するためのものかそれとも非活性化するためのものかを指示する。実施形態５において、この情報に含まれる情報が指示するＳＰ−ＣＳＩ起動状態では、ＳＰ−ＣＳＩ報告の活性化や非活性化のために、異なるＳＰ−ＣＳＩ起動状態があらかじめ規定されているかまたはあらかじめ設定されている。
【００７３】
無線デバイス５１２は、制御メッセージを受信したとき、制御メッセージに含まれる情報に基づき、制御メッセージはＳＰ−ＣＳＩ報告を活性化するためのものかそれとも非活性化するためのものかを判定する（ステップ１１０２）。より具体的には、無線デバイス５１２は、一例としてＵＬのＤＣＩメッセージを使用して、ＵＬのＤＣＩメッセージが、無線デバイス５１２のＳＰ−ＣＳＩのＣ−ＲＮＴＩを用いてスクランブルをかけられていると判定する。無線デバイス５１２は、ＵＬのＤＣＩメッセージが無線デバイス５１２のＳＰ−ＣＳＩのＣ−ＲＮＴＩを用いてスクランブルをかけられていると判定することにより、制御メッセージが、無線デバイス５１２向けに意図された、ＳＰ−ＣＳＩを活性化または非活性化するためのものであることを有効化することができる。次いで、無線デバイス５１２は、実施形態２〜５のうちのいずれか１つに関して上記で説明されたように、ＵＬのＤＣＩメッセージに含まれる情報に基づき、ＵＬのＤＣＩメッセージはＳＰ−ＣＳＩ報告を活性化するためのものかそれとも非活性化するためのものかを判定する。
【００７４】
無線デバイス５１２は、ステップ１１０２の判定に従ってＳＰ−ＣＳＩ報告を活性化または非活性化する（ステップ１１０４）。
【００７５】
実施形態６：アップリンク許可を免除されたデータ送信とＳＰ−ＣＳＩとの活性化／非活性化を統合する
実施形態のこのセットでは、同時に活性化され得る半永続的アップリンク許可は１つだけであると想定されている。このアップリンク許可により、ＵＥは、アップリンク許可を免除された送信（すなわちＳＰＳ）を使用して、ＰＵＳＣＨ上でアップリンク共有チャネル（ＵＬ−ＳＣＨ）を伝達することができ、任意選択でＳＰ−ＣＳＩ報告を送信することができる。ＳＰＳが活性化されていれば、ＵＬ−ＳＣＨは、メディアアクセス制御（ＭＡＣ）の観点から、常にＰＵＳＣＨにマッピングされ得る。しかしながら、アップリンク制御情報（ＵＣＩ）（ＣＳＩの報告を含む）は、割り当てられたリソースにＵＣＩを最初にマッピングすることにより、ＵＬ−ＳＣＨによってＬ１上にもたらされたトランスポートブロックを用いて多重化されると想定されるので、ＰＵＳＣＨ向けのリソース割り当てがｇＮＢによって適切にセットされて、ＣＳＩ報告の内容のみがＰＵＳＣＨペイロードに適応する場合には、ＰＵＳＣＨ上でＳＰ−ＣＳＩ報告のみを伝達することが可能であり得る。
【００７６】
いくつかの実施形態では、ＳＰＳおよびＳＰ−ＣＳＩ報告は同一のＵＬのＤＣＩメッセージを用いて活性化される。前記ＵＬのＤＣＩメッセージは、ＣＲＣが、設定されたスケジューリング（ＣＳ）ＲＮＴＩなど一定の無線ネットワーク一時識別子（ＲＮＴＩ）を用いてスクランブルをかけられているので、動的アップリンク許可とは区別され得る。活性化ＤＣＩは、ＤＣＩにおける一定のビットフィールドの組合せをセットすることによってさらに識別され得る。一実施形態では、
・「新データインジケータ」ビットが「０」にセットされていること
・「冗長バージョン（ＲＶ）」ビットがすべて「０」にセットされていること
・「スケジューリングされたＰＵＳＣＨ向けのＴＰＣ命令」ビットがすべて「０」にセットされていること
・「ＨＡＲＱプロセス番号」ビットがすべて「０」にセットされていること
によってセットされたビットフィールドが、活性化ＤＣＩメッセージを識別する。ＵＥは、活性化ＤＣＩを受信すると、アップリンク上で少なくともＵＬ−ＳＣＨを伝達するＳＰＳ送信を始める。活性化ＤＣＩはＣＳＩ要求フィールドを付加的に含む。ＣＳＩ要求フィールドが「０」にセットされていると、ＳＰ−ＣＳＩ報告は活性化されない。しかしながら、活性化ＤＣＩは、一定のＳＰ  ＣＳＩ報告セッティングのためのＳＰＳおよびＳＰ−ＣＳＩ報告を既に送信しているＵＥによって受信され得る。ＣＳＩ要求フィールドが「０」にセットされた活性化ＤＣＩがこの「状態」のＵＥによって受信されると、ＳＰ−ＣＳＩ報告が非活性化される（しかしＵＬ−ＳＣＨの送信は依然として有効である）。このとき活性化され得るＳＰ−ＣＳＩ報告セッティングは１つだけであると、ここでは想定されている。同様に、ＵＥが、報告セッティング＃ＸのＳＰ−ＣＳＩ報告が活性化された「状態」にあって、報告セッティング＃Ｙの活性化を指示するＣＳＩ要求フィールドを伴う活性化ＤＣＩを受信すると、報告セッティング＃ＸのＳＰ−ＣＳＩ報告が非活性化され、報告セッティング＃Ｙ上のＳＰ−ＣＳＩ報告が活性化される。すなわち、有効なＳＰ−ＣＳＩ報告が切り換えられ、このことは状態遷移と見なされ得る。ＵＥは、既に活性化されているＳＰ−ＣＳＩ報告を活性化する活性化ＤＣＩを受信した場合には、この状態にとどまり、有効な報告セッティングの報告を継続する。そのような活性化ＤＣＩは、たとえばＰＵＳＣＨ周波数領域リソース割り当てを更新するか、または変調・符号化方式（ＭＣＳ）を変更してよく、その結果、ＳＰ−ＣＳＩ報告が、より最適なやり方で伝達され得る。
【００７７】
ＳＰＳ送信とＳＰ−ＣＳＩ送信の両方を非活性化する必要がある場合には、いくつかの実施形態では、ｇＮＢは非活性化ＤＣＩメッセージ（ＣＳ−ＲＮＴＩを用いてスクランブルをかけられたＣＲＣでもよい）を送ってよい。非活性化ＤＣＩを受信すると、半永続的ＰＵＳＣＨ送信が停止され、ＳＰＳとあらゆる有効なＳＰ−ＣＳＩ報告との両方が非活性化されることを意味する。したがって、いくつかの実施形態では、非活性化ＤＣＩにおいてＣＳＩ要求フィールドが無視されてよく、ＣＳＩ要求フィールドが「０」であろうとなかろうと、あらゆる有効なＳＰ−ＣＳＩ報告が非活性化される。他の実施形態では、非活性化ＤＣＩのためのＤＣＩ検知の信頼性をさらに高めるために、非活性化ＤＣＩのフォーマットがＣＳＩ要求フィールドを「０」にセットするようにアサートする。非活性化ＤＣＩは、ビットフィールドの一定の組合せを一定の値にセットすることによって識別され得る。たとえば、一実施形態では、
・「新データインジケータ」ビットが「０」にセットされていること
・「冗長バージョン（ＲＶ）」ビットがすべて「０」にセットされていること
・「スケジューリングされたＰＵＳＣＨ向けのＴＰＣ命令」ビットがすべて「０」にセットされていること
・「ＨＡＲＱプロセス番号」ビットがすべて「０」にセットされていること
・「変調・符号化方式および冗長バージョン（ＲＶ）」のビットがすべて「１」にセットされていること
・「周波数領域リソース割り当て」ビットがすべて「１」にセットされていること
・「時間領域リソース割り当て」ビットがすべて「１」にセットされていること
によってセットされたビットフィールドが、非活性化ＤＣＩを識別する。したがって、非活性化ＤＣＩの受信は、ＵＥの以前の「状態」に関係なく、ＵＥをＳＰＳとＳＰ−ＣＳＩ報告の両方が非活性化される「状態」に移すことと見なされ得る。
【００７８】
図１２では、実施形態６の一例が状態遷移図を用いて図示されており、ＵＥが異なるＤＣＩメッセージを受信したときに移る状態を特定する。一般に、任意数のＳＰ−ＣＳＩ報告セッティングがサポートされ得、それぞれの活性化されたＳＰ−ＣＳＩ報告が状態に対応するが、読みやすさのために、図１２に示されているのは、活性化されたＳＰ−ＣＳＩ報告に関する２つの状態（＃１および＃Ｎ）のみであり、しかし、図示から、省略されたＳＰ−ＣＳＩ報告の状態＃２、＃３、．．．、＃Ｎ−１が同様に存在することが示唆される。
【００７９】
これらの実施形態では、ＳＰ−ＣＳＩ報告は、ＳＰＳも活性化されなければ活性化され得ないことに留意されたい。
【００８０】
この実施形態の変形形態では、「状態」は無線リソース制御（ＲＲＣ）に設定されたＳＰ−ＣＳＩ起動状態を指す。ＤＣＩは、１つまたは複数のＳＰ−ＣＳＩ報告が同一のＰＵＳＣＨ上で送信されるように、１つまたは複数のＳＰ−ＣＳＩ報告セッティングを同時に活性化してよい。ＵＥは、活性化ＤＣＩメッセージを受信したとき、それまで有効であったＳＰ−ＣＳＩ起動状態に関連したＳＰ−ＣＳＩ報告についてのＳＰ−ＣＳＩ報告を停止して、活性化ＤＣＩメッセージのＣＳＩ要求フィールドを用いて識別されたＳＰ−ＣＳＩ起動状態に関連したＳＰ−ＣＳＩ報告セッティングについてのＳＰ−ＣＳＩ報告を始める。
【００８１】
図１３は、実施形態６によるネットワークノード（たとえば基地局５０２）および無線デバイス５１２の動作の一例を示すものである。図示のように、ネットワークノードは、無線デバイス５１２に、ＳＰ−ＣＳＩ報告の活性化または非活性化とアップリンク許可を免除されたデータ送信（たとえばＳＰＳデータ送信）の活性化または非活性化とを指示する情報を含む制御メッセージ（たとえば無線デバイス５１２のアイデンティティ（たとえばＣＳ−ＣＳＩのＣ−ＲＮＴＩ）を用いてスクランブルをかけられたＵＬのＤＣＩメッセージ）を送る（ステップ１３００）。無線デバイス５１２は、制御メッセージを受信すると、上記で説明されたように、制御メッセージに含まれる情報および無線デバイス５１２の現在の状態に基づき、制御メッセージは、ＳＰ−ＣＳＩ報告を活性化するためのものかそれとも非活性化するためのものか、またアップリンク許可を免除されたデータ送信を活性化するためのものかそれとも非活性化するためのものかを判定する（ステップ１３０２）。無線デバイス５１２は、ステップ１３０２の判定に従ってＳＰ−ＣＳＩ報告を活性化または非活性化する（ステップ１３０４）。
【００８２】
付加情報
図１４は、本開示のいくつかの実施形態による無線アクセスノード１４００の概略ブロック図である。無線アクセスノード１４００はたとえば基地局５０２または５０６でよい。図示のように、無線アクセスノード１４００に含まれる制御システム１４０２は、１つまたは複数のプロセッサ１４０４（たとえば中央処理装置（ＣＰＵ）、特定用途向け集積回路（ＡＳＩＣ）、フィールドプログラマブルゲートアレイ（ＦＰＧＡ）、および／または類似のもの）、記憶装置１４０６、およびネットワークインターフェース１４０８を含む。加えて、無線アクセスノード１４００は、１つまたは複数の送信器１４１２をそれぞれ含む１つまたは複数の無線ユニット１４１０と、１つまたは複数のアンテナ１４１６に結合された１つまたは複数の受信器１４１４とを含む。いくつかの実施形態では、無線ユニット１４１０は制御システム１４０２の外部にあり、たとえば有線接続（たとえば光ケーブル）によって制御システム１４０２に接続される。しかしながら、いくつかの他の実施形態では、無線ユニット１４１０および（可能性として）アンテナ１４１６は、制御システム１４０２と一緒に組み込まれる。１つまたは複数のプロセッサ１４０４は、本明細書で説明されたように、無線アクセスノード１４００の１つまたは複数の機能をもたらすように動作する。いくつかの実施形態では、上記の機能は、たとえば記憶装置１４０６に記憶されたソフトウェアで実施され、１つまたは複数のプロセッサ１４０４によって実行される。
【００８３】
図１５は、本開示のいくつかの実施形態による無線アクセスノード１４００の仮想化された実施形態の概略ブロック図である。この議論は、他のタイプのネットワークノードにも同様に適用可能である。さらに、他のタイプのネットワークノードは、類似の仮想化されたアーキテクチャを有し得る。
【００８４】
本明細書で使用されるように、「仮想化された」無線アクセスノードは、機能性の少なくとも一部分が（たとえばネットワークにおける物理処理ノード上で実行する仮想マシンによって）仮想コンポーネントとして実施される無線アクセスノード１４００の実装形態である。図示のように、この例では、上記で説明されたように、無線アクセスノード１４００が含む制御システム１４０２は、１つまたは複数のプロセッサ１４０４（たとえばＣＰＵ、ＡＳＩＣ、ＦＰＧＡ、および／または類似のもの）と、記憶装置１４０６と、ネットワークインターフェース１４０８と、１つまたは複数のアンテナ１４１６に結合された１つまたは複数の送信器１４１２および１つまたは複数の受信器１４１４をそれぞれ含む１つまたは複数の無線ユニット１４１０とを含む。制御システム１４０２は、たとえば光ケーブル等によって無線ユニット１４１０に接続されている。制御システム１４０２は、ネットワークインターフェース１４０８を介して、ネットワーク１５０２に結合されているかまたは一部分として含まれる１つまたは複数の処理ノード１５００に接続されている。それぞれの処理ノード１５００が、１つまたは複数のプロセッサ１５０４（たとえばＣＰＵ、ＡＳＩＣ、ＦＰＧＡ、および／または類似のもの）、記憶装置１５０６、およびネットワークインターフェース１５０８を含む。
【００８５】
この例では、本明細書で説明された無線アクセスノード１４００の機能１５１０は、１つまたは複数の処理ノード１５００において実施されるか、または制御システム１４０２および１つまたは複数の処理ノード１５００にわたって任意の所望のやり方で分散される。いくつかの特定の実施形態では、本明細書で説明された無線アクセスノード１４００の機能１５１０のうちのいくつかまたはすべてが、処理ノード１５００によってホスティングされた仮想環境において実施される１つまたは複数の仮想マシンによって実行される仮想コンポーネントとして実施される。当業者には理解されるように、所望の機能１５１０のうちの少なくともいくつかを実行するために、処理ノード１５００と制御システム１４０２の間の追加のシグナリングまたは通信が使用される。ことさら、いくつかの実施形態では制御システム１４０２が含まれなくてよく、その場合には、無線ユニット１４１０が、適切なネットワークインターフェースを介して処理ノード１５００と直接通信する。
【００８６】
いくつかの実施形態では、少なくとも１つのプロセッサが、提供されるコンピュータプログラムに含まれる命令を実行することにより、本明細書で説明された実施形態のうちの任意のものによる仮想環境における無線アクセスノード１４００の機能１５１０のうちの１つまたは複数を実施する、無線アクセスノード１４００またはノード（たとえば処理ノード１５００）の機能性を実行する。いくつかの実施形態では、前述のコンピュータプログラム製品を含む担体が提供される。担体は、電子信号、光信号、無線信号、またはコンピュータ可読記憶媒体（たとえば記憶装置などの非一時的コンピュータ可読媒体）のうちの１つである。
【００８７】
図１６は、本開示のいくつかの他の実施形態による無線アクセスノード１４００の概略ブロック図である。無線アクセスノード１４００は１つまたは複数のモジュール１６００を含み、モジュール１６００のそれぞれがソフトウェアで実施される。モジュール１６００は、本明細書で説明された無線アクセスノード１４００の機能性をもたらす。この議論は図１５の処理ノード１５００にも適用可能であり、その場合、モジュール１６００は、処理ノード１５００のうちの１つにおいて実施されてよく、あるいは複数の処理ノード１５００にわたって分散されてよく、かつ／または処理ノード１５００および制御システム１４０２にわたって分散されてよい。
【００８８】
図１７は、本開示のいくつかの実施形態によるＵＥ  １７００の概略ブロック図である。図示のように、ＵＥ  １７００は、１つまたは複数のプロセッサ１７０２（たとえばＣＰＵ、ＡＳＩＣ、ＦＰＧＡ、および／または類似のもの）と、記憶装置１７０４と、１つまたは複数のアンテナ１７１２に結合された１つまたは複数の送信器１７０８および１つまたは複数の受信器１７１０をそれぞれ含んでいる１つまたは複数のトランシーバ１７０６とを含む。いくつかの実施形態では、上記で説明されたＵＥ  １７００の機能性は、全面的または部分的にソフトウェアで実施されてよく、ソフトウェアは、たとえば記憶装置１７０４に記憶され、プロセッサ１７０２によって実行される。
【００８９】
いくつかの実施形態では、少なくとも１つのプロセッサによって実行されると、少なくとも１つのプロセッサに本明細書で説明された実施形態のうちの任意のものに従ってＵＥ  １７００の機能を実行させる命令を含むコンピュータプログラムが提供される。いくつかの実施形態では、前述のコンピュータプログラム製品を含む担体が提供される。担体は、電子信号、光信号、無線信号、またはコンピュータ可読記憶媒体（たとえば記憶装置などの非一時的なコンピュータ可読媒体）のうちの１つである。
【００９０】
図１８は、本開示のいくつかの他の実施形態によるＵＥ  １７００の概略ブロック図である。ＵＥ  １７００は１つまたは複数のモジュール１８００を含み、モジュール１８００のそれぞれがソフトウェアで実施される。モジュール１８００は、本明細書で説明されたＵＥ  １７００の機能性をもたらす。
【００９１】
図１９を参照して、一実施形態によれば、通信システムが含む３ＧＰＰタイプセルラーネットワークなどの遠隔通信ネットワーク１９００は、無線アクセスネットワーク（ＲＡＮ）などのアクセスネットワーク１９０２と、コアネットワーク１９０４とを備える。アクセスネットワーク１９０２は、ノードＢ、ｅＮＢ、ｇＮＢなどの複数の基地局１９０６Ａ、１９０６Ｂ、１９０６Ｃ、またはそれぞれ対応するカバレッジエリア１９０８Ａ、１９０８Ｂ、１９０８Ｃを規定する他のタイプの無線アクセスポイント（ＡＰ）を備える。各基地局１９０６Ａ、１９０６Ｂ、１９０６Ｃは、有線または無線の接続１９１０を通じてコアネットワーク１９０４に接続可能である。カバレッジエリア１９０８Ｃに配置された第１のＵＥ  １９１２は、対応する基地局１９０６Ｃに無線で接続するかまたは基地局１９０６Ｃによってページングされるように設定されている。カバレッジエリア１９０８Ａにおける第２のＵＥ  １９１４は、対応する基地局１９０６Ａに無線で接続可能である。この例では複数のＵＥ  １９１２、１９１４が図示されているが、開示された実施形態は、単独のＵＥがカバレッジエリアにある状況、または単独のＵＥが対応する基地局１９０６に接続している状況にも同様に適用可能である。
【００９２】
遠隔通信ネットワーク１９００自体が接続されているホストコンピュータ１９１６は、スタンドアロンのサーバのハードウェアおよび／またはソフトウェア、クラウドで実施されたサーバ、分散型サーバ、またはサーバファームにおける処理リソースで具現され得るものである。ホストコンピュータ１９１６はサービスプロバイダの所有権または制御下にあってよく、あるいはサービスプロバイダによって、またはサービスプロバイダのために運用されてよい。遠隔通信ネットワーク１９００とホストコンピュータ１９１６の間の接続１９１８および１９２０は、コアネットワーク１９０４からホストコンピュータ１９１６まで直接延在してよく、または任意選択の中間ネットワーク１９２２を介したものでもよい。中間ネットワーク１９２２は、パブリックネットワーク、プライベートネットワーク、またはホスティングされたネットワークのうちの１つ、または２つ以上の組合せでよく、中間ネットワーク１９２２は、存在する場合には、バックボーンネットワークまたはインターネットでよく、詳細には、中間ネットワーク１９２２は、２つ以上のサブネットワーク（図示せず）を備え得る。
【００９３】
図１９の通信システムは、接続されたＵＥ  １９１２、１９１４とホストコンピュータ１９１６の間の接続性を全体として可能にするものである。接続性はオーバーザトップ（ＯＴＴ）接続１９２４として説明され得る。ホストコンピュータ１９１６と、接続されたＵＥ  １９１２、１９１４とは、アクセスネットワーク１９０２、コアネットワーク１９０４、任意の中間ネットワーク１９２２、および可能なさらなるインフラストラクチュア（図示せず）を仲介物として使用して、ＯＴＴ接続１９２４を介してデータおよび／またはシグナリングを通信するように設定されている。ＯＴＴ接続１９２４は、ＯＴＴ接続１９２４を通す、関与している通信デバイスが、アップリンクおよびダウンリンクの通信のルーティングを認識しないという意味でトランスペアレントであり得る。たとえば、基地局１９０６は、ホストコンピュータ１９１６を起源とする、接続されているＵＥ  １９１２に転送される（たとえばハンドオーバされる）べきデータを伴う着信ダウンリンク通信の過去のルーティングについて、通知されなくてよく、通知される必要もない。同様に、基地局１９０６は、ＵＥ  １９１２を起源とする、ホストコンピュータ１９１６に向けた発信アップリンク通信の将来のルーティングを認識する必要はない。
【００９４】
次に、前節で論じられたＵＥ、基地局、およびホストコンピュータの、一実施形態による例示の実装形態を、図２０を参照しながら説明する。通信システム２０００において、ホストコンピュータ２００２が備えるハードウェア２００４に含まれる通信インターフェース２００６は、通信システム２０００の異なる通信デバイスのインターフェースに対する有線または無線の接続をセットアップして維持するように設定されている。ホストコンピュータ２００２がさらに備える処理回路２００８は、記憶機構および／または処理能力を有し得る。詳細には、処理回路２００８は、命令を実行するように適合された１つまたは複数のプログラマブルプロセッサ、ＡＳＩＣ、ＦＰＧＡまたはこれらの組合せ（図示せず）を備え得る。ホストコンピュータ２００２がさらに含むソフトウェア２０１０は、ホストコンピュータ２００２に記憶されているか、またはホストコンピュータ２００２によるアクセスが可能であり、処理回路２００８によって実行可能である。ソフトウェア２０１０はホストアプリケーション２０１２を含む。ホストアプリケーション２０１２は、ＵＥ  ２０１４およびホストコンピュータ２００２において終結するＯＴＴ接続２０１６によって接続されているＵＥ  ２０１４などの遠隔ユーザにサービスを提供するように動作可能であり得る。ホストアプリケーション２０１２は、遠隔ユーザにサービスを提供するとき、ＯＴＴ接続２０１６を使用して送信されるユーザデータを供給してよい。
【００９５】
通信システム２０００がさらに含む基地局２０１８は、遠隔通信システムに与えられるものであり、ホストコンピュータ２００２およびＵＥ  ２０１４との通信を可能にするハードウェア２０２０を備える。ハードウェア２０２０は、通信システム２０００の異なる通信デバイスのインターフェースに対する有線または無線の接続をセットアップして維持するための通信インターフェース２０２２、ならびに、少なくとも基地局２０１８によってサーブされたカバレッジエリア（図２０には示されていない）内のＵＥ  ２０１４に対する無線接続２０２６をセットアップして維持するための無線インターフェース２０２４を含み得る。通信インターフェース２０２２は、ホストコンピュータ２００２に対する接続２０２８を容易にするように設定されてよい。接続２０２８は直接的でよく、あるいは遠隔通信システムのコアネットワーク（図２０には示されていない）および／または遠隔通信システムの外部の１つまたは複数の中間ネットワークを通過してよい。示された実施形態において、基地局２０１８のハードウェア２０２０がさらに含む処理回路２０３０は、命令を実行するように適合された１つまたは複数のプログラマブルプロセッサ、ＡＳＩＣ、ＦＰＧＡ、またはこれらの組合せ（図示せず）を備え得る。基地局２０１８がさらに有するソフトウェア２０３２は、内部に記憶されているか、または外部接続によってアクセス可能である。
【００９６】
通信システム２０００は、既に言及されたＵＥ  ２０１４をさらに含む。ＵＥ  ２０１４のハードウェア２０３４が含み得る無線インターフェース２０３６は、ＵＥ  ２０１４が現在配置されているカバレッジエリアにサーブする基地局に対する無線接続２０２６をセットアップして維持するように設定されている。ＵＥ  ２０１４のハードウェア２０３４がさらに含む処理回路２０３８は、命令を実行するように適合された１つまたは複数のプログラマブルプロセッサ、ＡＳＩＣ、ＦＰＧＡ、またはこれらの組合せ（図示せず）を備え得る。ＵＥ  ２０１４がさらに含むソフトウェア２０４０は、ＵＥ  ２０１４に記憶されているか、またはＵＥ  ２０１４によるアクセスが可能であり、処理回路２０３８によって実行可能である。ソフトウェア２０４０はクライアントアプリケーション２０４２を含む。クライアントアプリケーション２０４２は、ホストコンピュータ２００２のサポートを伴って、ＵＥ  ２０１４を介して、人間のユーザまたは人間以外のユーザにサービスを提供するように動作可能であり得る。ホストコンピュータ２００２において実行中のホストアプリケーション２０１２は、ＵＥ  ２０１４およびホストコンピュータ２００２において終結するＯＴＴ接続２０１６を通じて、実行中のクライアントアプリケーション２０４２と通信し得る。ユーザにサービスを提供するとき、クライアントアプリケーション２０４２は、ホストアプリケーション２０１２から要求データを受信し、要求データに応答してユーザデータを供給してよい。ＯＴＴ接続２０１６は、要求データとユーザデータの両方を転送し得る。クライアントアプリケーション２０４２は、供給するユーザデータを生成するためにユーザと対話してよい。
【００９７】
図２０のホストコンピュータ２００２、基地局２０１８、およびＵＥ  ２０１４は、それぞれ図１９のホストコンピュータ１９１６、基地局１９０６Ａ、１９０６Ｂ、１９０６Ｃのうちの１つ、およびＵＥ  １９１２、１９１４のうちの１つに類似のものまたは同一のものでよいことが注目される。つまり、これらのエンティティの内部作用は図２０に独立して示されたものでよく、周囲のネットワークトポロジは図１９のものでよい。
【００９８】
図２０において、ＯＴＴ接続２０１６は、ホストコンピュータ２００２とＵＥ  ２０１４の間の基地局２０１８を介した通信を図示するために抽象的に描かれており、いかなる仲介のデバイスにも、これらのデバイスを介したメッセージの正確なルーティングにも、明示的な参照はない。ネットワークインフラストラクチャはルーティングを決定してよく、ルーティングは、ＵＥ  ２０１４もしくはホストコンピュータ２００２を運用するサービスプロバイダまたは両方から見えないように設定されてよい。ＯＴＴ接続２０１６が有効であるとき、ネットワークインフラストラクチャは、（たとえばネットワークのロードバランシングの配慮または再設定に基づいて）ルーティングの動的変更をさらに裁定してよい。
【００９９】
ＵＥ  ２０１４と基地局２０１８の間の無線接続２０２６は、本開示の全体にわたって説明された実施形態の教示に従うものである。様々な実施形態のうちの１つまたは複数が、無線接続２０２６が最終区分を形成するＯＴＴ接続２０１６を使用して、ＵＥ  ２０１４に提供されるＯＴＴサービスの性能を改善する。より正確には、これらの実施形態の教示により、たとえばデータレート、レイテンシ、および／または電力消費が改善され得、それによって、たとえばユーザ待ち時間の短縮、ファイルサイズにおける制限の緩和、より優れた応答性、および／またはバッテリー寿命の伸びなどの利点がもたらされる。
【０１００】
１つまたは複数の実施形態を改善するデータレート、レイテンシ、および他の要因を監視するために、測定プロシージャが用意されてよい。測定結果の変動に応答してホストコンピュータ２００２とＵＥ  ２０１４の間のＯＴＴ接続２０１６を再構成するための、任意選択のネットワーク機能がさらに存在し得る。測定プロシージャおよび／またはＯＴＴ接続２０１６を再構成するためのネットワーク機能は、ホストコンピュータ２００２のソフトウェア２０１０およびハードウェア２００４、またはＵＥ  ２０１４のソフトウェア２０４０およびハードウェア２０３４、あるいは両方で実施されてよい。いくつかの実施形態では、ＯＴＴ接続２０１６が通る通信デバイスの中に、または同デバイスに関連して、センサ（図示せず）が配備されてよく、センサは、上記の例の監視された量の値を供給することにより、あるいはソフトウェア２０１０、２０４０が監視された量を計算するかまたは推定するのに使用される他の物理量の値を供給することにより、測定プロシージャに関与し得る。ＯＴＴ接続２０１６の再構成は、メッセージフォーマット、再送信設定、望ましいルーティングなどを含み得、基地局２０１４に影響を及ぼす必要はなく、基地局２０１４にとって未知のものまたは感知できないものでよい。そのようなプロシージャおよび機能は、当技術において既知の、実施され得るものである。ある実施形態では、測定は、ホストコンピュータ２００２による、スループット、伝搬時間、レイテンシ等の測定を容易にする、専用のＵＥシグナリングを包含し得る。測定は、ソフトウェア２０１０および２０４０が、伝搬時間、エラーなどを監視しながら、ＯＴＴ接続２０１６を使用してメッセージを送信するとき、詳細には空または「ダミー」のメッセージを送信するとき、実施されてよい。
【０１０１】
図２１は、一実施形態によって通信システムにおいて実施される方法を図示する流れ図である。通信システムは、図１９および図２０を参照しながら説明されたものであり得るホストコンピュータ、基地局、およびＵＥを含む。本開示の簡単さのために、この段落では図２１の参照のみを含むことにする。ステップ２１００において、ホストコンピュータはユーザデータを供給する。ステップ２１００のサブステップ２１０２（任意選択でよい）において、ホストコンピュータはホストアプリケーションを実行することによってユーザデータを供給する。ステップ２１０４において、ホストコンピュータは、ＵＥにユーザデータを搬送する送信を開始する。ステップ２１０６（任意選択でよい）において、基地局は、本開示の全体にわたって説明された実施形態の教示に従って、ホストコンピュータが起動した送信で搬送されたユーザデータをＵＥに送信する。ステップ２１０８（これも任意選択でよい）において、ＵＥは、ホストコンピュータによって実行されるホストアプリケーションに関連したクライアントアプリケーションを実行する。
【０１０２】
図２２は、一実施形態によって通信システムにおいて実施される方法を図示する流れ図である。通信システムは、図１９および図２０を参照しながら説明されたものであり得るホストコンピュータ、基地局、およびＵＥを含む。本開示の簡単さのために、この段落では図２２の参照のみを含むことにする。方法のステップ２２００において、ホストコンピュータはユーザデータを供給する。任意選択のサブステップ（図示せず）において、ホストコンピュータはホストアプリケーションを実行することによってユーザデータを供給する。ステップ２２０２において、ホストコンピュータは、ＵＥにユーザデータを搬送する送信を開始する。送信は、本開示の全体にわたって説明された実施形態の教示に従って、基地局を通されてよい。ステップ２２０４（任意選択でよい）において、ＵＥは、送信で搬送されたユーザデータを受信する。
【０１０３】
図２３は、一実施形態によって通信システムにおいて実施される方法を図示する流れ図である。通信システムは、図１９および図２０を参照しながら説明されたものであり得るホストコンピュータ、基地局、およびＵＥを含む。本開示の簡単さのために、この段落では図２３の参照のみを含むことにする。ステップ２３００（任意選択でよい）において、ＵＥは、ホストコンピュータによって供給された入力データデータを受信する。それに加えて、またはその代わりに、ステップ２３０２において、ＵＥがユーザデータを供給する。ステップ２３００のサブステップ２３０４（任意選択でよい）において、ＵＥはクライアントアプリケーションを実行することによってユーザデータを供給する。ステップ２３０２のサブステップ２３０６（任意選択でよい）において、ＵＥは、ホストコンピュータによって供給されて受信された入力データに反応してユーザデータを供給するクライアントアプリケーションを実行する。ユーザデータを供給するとき、実行されるクライアントアプリケーションは、ユーザから受信されたユーザ入力をさらに考慮に入れてよい。ユーザデータが供給された特定のやり方に関係なく、ＵＥは、サブステップ２３０８（任意選択でよい）において、ホストコンピュータへのユーザデータの送信を開始する。この方法のステップ２３１０において、ホストコンピュータは、本開示の全体にわたって説明された実施形態の教示に従って、ＵＥから送信されたユーザデータを受信する。
【０１０４】
図２４は、一実施形態によって通信システムにおいて実施される方法を図示する流れ図である。通信システムは、図１９および図２０を参照しながら説明されたものであり得るホストコンピュータ、基地局、およびＵＥを含む。本開示の簡単さのために、この段落では図２４の参照のみを含むことにする。ステップ２４００（任意選択でよい）において、基地局は、本開示の全体にわたって説明された実施形態の教示に従って、ＵＥからユーザデータを受信する。ステップ２４０２（任意選択でよい）において、基地局は、受信されたユーザデータのホストコンピュータへの送信を開始する。ステップ２４０４（任意選択でよい）において、ホストコンピュータは、基地局が起動した送信で搬送されたユーザデータを受信する。
【０１０５】
本明細書で開示された任意の適切なステップ、方法、特徴、機能、または利点が、１つまたは複数の仮想装置の１つまたは複数の機能ユニットまたは機能モジュールによって実施され得る。それぞれの仮想装置がこれらの機能ユニットを複数備え得る。これらの機能ユニットは、１つまたは複数のマイクロプロセッサまたはマイクロコントローラ、ならびにデジタル信号プロセッサ（ＤＳＰ）、専用デジタルロジックなどを含み得る他のデジタルハードウェアを含み得る処理回路によって実施されてよい。処理回路は、読取り専用メモリ（ＲＯＭ）、ランダムアクセスメモリ（ＲＡＭ）、キャッシュメモリ、フラッシュメモリデバイス、光学記憶デバイスなどの１つまたはいくつかのタイプの記憶装置を含み得る記憶装置に記憶されたプログラムコードを実行するように設定されてよい。記憶装置に記憶されたプログラムコードは、１つまたは複数の遠隔通信プロトコルおよび／またはデータ通信プロトコルを実行するためのプログラム命令、ならびに、本明細書で説明された技術のうちの１つまたは複数を実行するための命令を含む。いくつかの実装形態では、処理回路は、それぞれの機能ユニットに、本開示の１つまたは複数の実施形態による対応する機能を実施させるように使用され得る。
【０１０６】
図におけるプロセスは、本開示の特定の実施形態によって実施される動作の特定の順番を示していることがあるが、そのような順番は例示であること（たとえば、代替実施形態は異なる順番で動作を実施してよく、一定の動作を組み合わせてよく、一定の動作をオーバラップさせてもよい、など）を理解されたい。
【０１０７】
いくつかの例示の実施形態は以下の通りである。
【０１０８】
グループＡの実施形態
実施形態１：無線通信システムにおいて半永続的チャネル状態情報（ＳＰ−ＣＳＩ）報告を活性化または非活性化するための制御メッセージを有効化するために無線デバイス（５１２）によって実施される方法であって、ネットワークノード（５０２）から、ＳＰ−ＣＳＩ報告を活性化または非活性化するための制御メッセージを受信すること（６００）と、制御メッセージに基づき、ＳＰ−ＣＳＩ報告を活性化するべきかそれとも非活性化するべきかを判定すること（６０２）と、判定に従ってＳＰ−ＣＳＩ報告を活性化または非活性化すること（６０４）とのうちの少なくとも１つを含む方法。
【０１０９】
実施形態２：制御メッセージがダウンリンク制御情報メッセージである、実施形態１に記載の方法。
【０１１０】
実施形態３：制御メッセージが、無線デバイス（５１２）のアイデンティティを用いてスクランブルをかけられる、実施形態１または２に記載の方法。
【０１１１】
実施形態４：制御メッセージが、ＳＰ−ＣＳＩ報告に関連した無線デバイス（５１２）のアイデンティティを用いてスクランブルをかけられる、実施形態１または２に記載の方法。
【０１１２】
実施形態５：制御メッセージが、無線デバイス（５１２）のＳＰ−ＣＳＩセル無線ネットワーク一時識別子を用いてスクランブルをかけられる、実施形態１または２に記載の方法。
【０１１３】
実施形態６：ＳＰ−ＣＳＩ報告を活性化するべきかそれとも非活性化するべきかを判定すること（６０２）が、制御メッセージを受信したときＳＰ−ＣＳＩ報告の活性化／非活性化を切り換えるように判定することを含む、実施形態１から５のいずれか１つに記載の方法。
【０１１４】
実施形態７：制御メッセージが、ＳＰ−ＣＳＩ報告を活性化または非活性化するために無線デバイス（５１２）によって受信された第１の制御メッセージであり、制御メッセージが、ＳＰ−ＣＳＩ報告を活性化または非活性化するために無線デバイス（５１２）によって受信された第１の制御メッセージであるので、判定すること（６０２）がＳＰ−ＣＳＩ報告を活性化するように判定すること（８０２）を含む、実施形態１から５のいずれか１つに記載の方法。
【０１１５】
実施形態８：ネットワークノード（５０２）から、ＳＰ−ＣＳＩ報告を活性化または非活性化するための第２の制御メッセージを受信すること（８０６）と、ＳＰ−ＣＳＩ報告を活性化または非活性化するための第２の制御メッセージを受信したとき、ＳＰ−ＣＳＩ報告を非活性化するように判定すること（８０８）と、ＳＰ−ＣＳＩ報告を非活性化するとの判定に従って、ＳＰ−ＣＳＩ報告を非活性化すること（８１０）とのうちの少なくとも１つをさらに含む、実施形態７に記載の方法。
【０１１６】
実施形態９：第２の制御メッセージを受信したとき、ＳＰ−ＣＳＩ報告を非活性化するように判定すること（８０８）が、第２の制御メッセージの１つまたは複数のフィールドにおける１つまたは複数の値とＳＰ−ＣＳＩ報告を活性化した制御メッセージの１つまたは複数のフィールドにおける１つまたは複数の値が同一であるかどうかを判定することと、第２の制御メッセージを受信したとき、第２の制御メッセージの１つまたは複数のフィールドにおける１つまたは複数の値とＳＰ−ＣＳＩ報告を活性化した制御メッセージの１つまたは複数のフィールドにおける１つまたは複数の値が同一であれば、ＳＰ−ＣＳＩ報告を非活性化するように判定すること（８０８）とのうちの少なくとも１つを含む、実施形態８に記載の方法。
【０１１７】
実施形態１０：制御メッセージが、制御メッセージはＳＰ−ＣＳＩ報告を活性化するためのものかそれとも非活性化するためのものかを指示する情報を含み、判定すること（６０２）が、制御メッセージに含まれた情報に基づき、ＳＰ−ＣＳＩ報告を活性化するべきかそれとも非活性化するべきかを判定すること（１１０２）を含む、実施形態１から５のいずれか１つに記載の方法。
【０１１８】
実施形態１１：上記の情報が、制御メッセージの１つまたは複数のフィールドに含まれる情報を含み、制御メッセージの１つまたは複数のフィールドは、他の目的のために規定されたものであるが、ＳＰ−ＣＳＩ報告を活性化するべきかそれとも非活性化するべきかということに関する指示を与えるために再利用される、実施形態１０に記載の方法。
【０１１９】
実施形態１２：１つまたは複数のフィールドが、新データインジケータおよび／または冗長バージョン（ＲＶ）をもたらすように規定された１つまたは複数のフィールドを含む、実施形態１１に記載の方法。
【０１２０】
実施形態１３：１つまたは複数のフィールドが、物理アップリンク共有チャネル向けの送信電力制御命令を通信するように規定されたフィールド、ハイブリッド自動再送要求（ＨＡＲＱ）プロセス番号を通信するように規定されたフィールド、変調・符号化方式（ＭＣＳ）および冗長バージョン（ＲＶ）を通信するように規定されたフィールド、および／または時間領域リソース割り当てを通信するように規定されたフィールドのうちの少なくとも１つを含む、実施形態１１または１２に記載の方法。
【０１２１】
実施形態１４：上記の情報がＣＳＩ要求フィールドにおける１つまたは複数のビットを含む、実施形態１０に記載の方法。
【０１２２】
実施形態１５：上記の情報がＳＰ−ＣＳＩ起動状態を指示する情報を含み、ＳＰ−ＣＳＩ報告の活性化および非活性化のために別個のＳＰ−ＣＳＩ起動状態があらかじめ規定されているかまたはあらかじめ設定されている、実施形態１０に記載の方法。
【０１２３】
実施形態１６：上記の情報がＣＳＩ要求フィールドの中にコードポイントを含む、実施形態１０に記載の方法。
【０１２４】
実施形態１７：コードポイントがすべてゼロのＣＳＩ要求フィールドを含む、実施形態１６に記載の方法。
【０１２５】
実施形態１８：制御メッセージが、無線デバイス（５１２）の現在の状態とともに、制御メッセージがＳＰ−ＣＳＩ報告を活性化するためのものかそれとも非活性化するためのものかを指示する情報と、制御メッセージはアップリンク許可を免除されたデータ送信を活性化するためのものかそれとも非活性化するためのものかを指示する情報とを含み、判定すること（６０２）が、制御メッセージに含まれた情報および無線デバイス（５１２）の現在の状態に基づき、ＳＰ−ＣＳＩ報告を活性化するべきかそれとも非活性化するべきか、また、アップリンク許可を免除されたデータ送信を活性化するべきかそれとも非活性化するべきかを判定すること（１３０２）を含む、実施形態１から５のいずれか１つに記載の方法。
【０１２６】
実施形態１９：無線デバイス（５１２）の現在の状態が、ＳＰ−ＣＳＩ報告が非活性化され、アップリンク許可を免除されたデータ送信が非活性化された状態、ＳＰ−ＣＳＩ報告が非活性化され、アップリンク許可を免除されたデータ送信が活性化された状態、またはＳＰ−ＣＳＩ報告が活性化され、アップリンク許可を免除されたデータ送信が活性化された状態である、実施形態１８に記載の方法。
【０１２７】
実施形態２０：ユーザデータを供給すること、および／またはユーザデータを基地局に送信することによってホストコンピュータに転送することとをさらに含む、実施形態１から１９のいずれか１つに記載の方法。
【０１２８】
グループＢの実施形態
実施形態２１：無線通信システムにおいて半永続的チャネル状態情報（ＳＰ−ＣＳＩ）報告の活性化または非活性化を可能にするために基地局（５０２）によって実施される方法であって、無線デバイス（５１２）に、ＳＰ−ＣＳＩ報告を活性化または非活性化するための制御メッセージを送ること（６００）を含む方法。
【０１２９】
実施形態２２：制御メッセージがダウンリンク制御情報メッセージである、実施形態２１に記載の方法。
【０１３０】
実施形態２３：制御メッセージが、無線デバイス（５１２）のアイデンティティを用いてスクランブルをかけられる、実施形態２１または２２に記載の方法。
【０１３１】
実施形態２４：制御メッセージが、ＳＰ−ＣＳＩ報告に関連した無線デバイス（５１２）のアイデンティティを用いてスクランブルをかけられる、実施形態２１または２２に記載の方法。
【０１３２】
実施形態２５：制御メッセージが、無線デバイス（５１２）のＳＰ−ＣＳＩセル無線ネットワーク一時識別子を用いてスクランブルをかけられる、実施形態２１または２２に記載の方法。
【０１３３】
実施形態２６：制御メッセージが、ＳＰ−ＣＳＩ報告を活性化または非活性化するために無線デバイス（５１２）に送られた第１の制御メッセージであり、第１の制御メッセージであることにより、第１の制御メッセージが、無線デバイス（５１２）に対するＳＰ−ＣＳＩ報告を活性化するための指示としてサーブする、実施形態２１から２５のいずれか１つに記載の方法。
【０１３４】
実施形態２７：無線デバイス（５１２）に、ＳＰ−ＣＳＩ報告を活性化または非活性化するための第２の制御メッセージを送ること（８０６）であって、第２の制御メッセージであることにより、第２の制御メッセージが、無線デバイス（５１２）に対するＳＰ−ＣＳＩ報告を非活性化するための指示としてサーブする、第２の制御メッセージを送ることをさらに含む、実施形態２６に記載の方法。
【０１３５】
実施形態２８：無線デバイス（５１２）に、ＳＰ−ＣＳＩ報告を活性化または非活性化するための第２の制御メッセージを送ること（８０６）をさらに含む方法であって、任意選択で、第２の制御メッセージの１つまたは複数のフィールドにおける１つまたは複数の値がＳＰ−ＣＳＩ報告を活性化するための指示としてサーブした第１の制御メッセージの１つまたは複数のフィールドにおける１つまたは複数の値と同一であり、かつ／または、第２の制御メッセージが、第２の制御メッセージであって、第２の制御メッセージの１つまたは複数のフィールドに、第１の制御メッセージの１つまたは複数のフィールドにおける１つまたは複数の値と同一の１つまたは複数の値を含むことにより、無線デバイス（５１２）に対するＳＰ−ＣＳＩ報告を非活性化する指示としてサーブする、実施形態２６に記載の方法。
【０１３６】
実施形態２９：制御メッセージが、制御メッセージはＳＰ−ＣＳＩ報告を活性化するためのものかそれとも非活性化するためのものかを指示する情報を含む、実施形態２１から２５のいずれか１つに記載の方法。
【０１３７】
実施形態３０：情報が、制御メッセージの１つまたは複数のフィールドに含まれる情報を含み、任意選択で、制御メッセージの１つまたは複数のフィールドは、他の目的のために規定されたものであるが、ＳＰ−ＣＳＩ報告を活性化するべきかそれとも非活性化するべきかということに関する指示を与えるために再利用される、実施形態２９に記載の方法。
【０１３８】
実施形態３１：１つまたは複数のフィールドが、新データインジケータおよび／または冗長バージョン（ＲＶ）をもたらすように規定された１つまたは複数のフィールドを含む、実施形態３０に記載の方法。
【０１３９】
実施形態３２：１つまたは複数のフィールドが、物理アップリンク共有チャネル向けの送信電力制御命令を通信するように規定されたフィールド、ハイブリッド自動再送要求（ＨＡＲＱ）プロセス番号を通信するように規定されたフィールド、変調・符号化方式（ＭＣＳ）および冗長バージョン（ＲＶ）を通信するように規定されたフィールド、および／または時間領域リソース割り当てを通信するように規定されたフィールドのうちの少なくとも１つを含む、実施形態３０または３１に記載の方法。
【０１４０】
実施形態３３：情報が、ＣＳＩ要求フィールドにおける１つまたは複数のビットを含む、実施形態２９に記載の方法。
【０１４１】
実施形態３４：情報がＳＰ−ＣＳＩ起動状態を指示する情報を含み、任意選択で、ＳＰ−ＣＳＩ報告の活性化および非活性化のために、別個のＳＰ−ＣＳＩ起動状態があらかじめ規定されているかまたはあらかじめ設定されている、実施形態２９に記載の方法。
【０１４２】
実施形態３５：情報がＣＳＩ要求フィールドの中にコードポイントを含む、実施形態２９に記載の方法。
【０１４３】
実施形態３６：コードポイントがすべてゼロのＣＳＩ要求フィールドを含む、実施形態３５に記載の方法。
【０１４４】
実施形態３７：制御メッセージが、無線デバイス（５１２）の現在の状態とともに、制御メッセージはＳＰ−ＣＳＩ報告を活性化するためのものかそれとも非活性化するためのものかを指示する情報と、制御メッセージはアップリンク許可を免除されたデータ送信を活性化するためのものかそれとも非活性化するためのものかを指示する情報とを含む、実施形態２１から２５のいずれか１つに記載の方法。
【０１４５】
実施形態３８：無線デバイス（５１２）の現在の状態が、ＳＰ−ＣＳＩ報告が非活性化され、アップリンク許可を免除されたデータ送信が非活性化された状態、ＳＰ−ＣＳＩ報告が非活性化され、アップリンク許可を免除されたデータ送信が活性化された状態、またはＳＰ−ＣＳＩ報告が活性化され、アップリンク許可を免除されたデータ送信が活性化された状態である、実施形態３７に記載の方法。
【０１４６】
実施形態３９：ユーザデータを取得することと、ユーザデータをホストコンピュータまたは無線デバイスに転送することとをさらに含む、実施形態１から３８のいずれか１つに記載の方法。
【０１４７】
グループＣの実施形態
実施形態４０：無線通信システムにおいて、半永続的チャネル状態情報（ＳＰ−ＣＳＩ）報告を活性化または非活性化するための制御メッセージを有効化するための無線デバイスであって、グループＡの任意の実施形態の任意のステップを実施するように設定された処理回路と、無線デバイスに電力を供給するように設定された電源回路とを備える無線デバイス。
【０１４８】
実施形態４１：無線通信システムにおける半永続的チャネル状態情報（ＳＰ−ＣＳＩ）報告の活性化または非活性化を可能にするための基地局であって、グループＢの任意の実施形態の任意のステップを実施するように設定された処理回路と、基地局に電力を供給するように設定された電源回路とを備える基地局。
【０１４９】
実施形態４２：無線通信システムにおいて、半永続的チャネル状態情報（ＳＰ−ＣＳＩ）報告を活性化または非活性化するための制御メッセージを有効化するためのユーザ機器（ＵＥ）であって、無線信号を送受信するように設定されたアンテナと、アンテナと処理回路の間で通信される信号を調整するように設定されてアンテナおよび処理回路に接続された無線フロントエンド回路であって、処理回路が、グループＡの任意の実施形態の任意のステップを実施するように設定されている、無線フロントエンド回路と、処理回路がＵＥへの情報の入力を処理することを可能にするように設定されて処理回路に接続された入力インターフェースと、処理回路によって処理されたＵＥからの情報を出力するように設定されて処理回路に接続された出力インターフェースと、ＵＥに電力を供給するように設定されて処理回路に接続されたバッテリーとを備えるユーザ機器。
【０１５０】
実施形態４３：ホストコンピュータを含む通信システムであって、ホストコンピュータが、ユーザデータを供給するように設定された処理回路と、ユーザデータを、ユーザ機器（ＵＥ）に送信するために、セルラーネットワークに転送するように設定された通信インターフェースとを備え、セルラーネットワークが、無線インターフェースおよび処理回路を有する基地局を備え、基地局の処理回路が、グループＢの任意の実施形態の任意のステップを実施するように設定されている、通信システム。
【０１５１】
実施形態４４：基地局をさらに含む、実施形態４３に記載の通信システム。
【０１５２】
実施形態４５：ＵＥをさらに含む通信システムであって、ＵＥが前記基地局と通信するように設定されている、実施形態４３または４４に記載の通信システム。
【０１５３】
実施形態４６：ホストコンピュータの処理回路が、ホストアプリケーションを実行することによってユーザデータを供給するように設定されており、ＵＥが、ホストアプリケーションに関連したクライアントアプリケーションを実行するように設定された処理回路を備える、実施形態４３から４５のいずれか１つに記載の通信システム。
【０１５４】
実施形態４７：ホストコンピュータ、基地局、およびユーザ機器（ＵＥ）を含む通信システムにおいて実施される方法であって、ホストコンピュータにおいて、ユーザデータを供給することと、ホストコンピュータにおいて、基地局を備えるセルラーネットワークを通じてＵＥにユーザデータを搬送する送信を開始することであって、基地局がグループＢの任意の実施形態の任意のステップを実施する、送信を開始することとを含む方法。
【０１５５】
実施形態４８：基地局においてユーザデータを送信することをさらに含む、実施形態４７に記載の方法。
【０１５６】
実施形態４９：ホストコンピュータにおいてホストアプリケーションを実行することによってユーザデータが供給される方法であって、ＵＥにおいて、ホストアプリケーションに関連したクライアントアプリケーションを実行することをさらに含む、実施形態４７または４８に記載の方法。
【０１５７】
実施形態５０：基地局と通信するように設定されたユーザ機器（ＵＥ）であって、実施形態４７から４９のいずれか１つに記載の方法を実施するように設定された無線インターフェースおよび処理回路を備えるＵＥ。
【０１５８】
実施形態５１：ホストコンピュータを含む通信システムであって、ホストコンピュータが、ユーザデータを供給するように設定された処理回路と、ユーザデータを、ユーザ機器（ＵＥ）に送信するために、セルラーネットワークに転送するように設定された通信インターフェースとを備え、ＵＥが無線インターフェースおよび処理回路を備え、ＵＥの構成要素が、グループＡの任意の実施形態の任意のステップを実施するように設定されている、通信システム。
【０１５９】
実施形態５２：セルラーネットワークが、ＵＥと通信するように設定された基地局をさらに含む、実施形態５１に記載の通信システム。
【０１６０】
実施形態５３：ホストコンピュータの処理回路が、ホストアプリケーションを実行することによってユーザデータを供給するように設定されており、ＵＥの処理回路が、ホストアプリケーションに関連したクライアントアプリケーションを実行するように設定されている、実施形態５１または５２に記載の通信システム。
【０１６１】
実施形態５４：ホストコンピュータ、基地局、およびユーザ機器（ＵＥ）を含む通信システムにおいて実施される方法であって、ホストコンピュータにおいて、ユーザデータを供給することと、ホストコンピュータにおいて、基地局を備えるセルラーネットワークを通じてＵＥにユーザデータを搬送する送信を開始することであって、ＵＥがグループＡの任意の実施形態の任意のステップを実施する、送信を開始することとを含む方法。
【０１６２】
実施形態５５：ＵＥにおいて基地局からのユーザデータを受信することをさらに含む、実施形態５４に記載の方法。
【０１６３】
実施形態５６：ホストコンピュータを含む通信システムであって、ホストコンピュータが、ユーザ機器（ＵＥ）から基地局への送信に由来するユーザデータを受信するように設定された通信インターフェースを備え、ＵＥが無線インターフェースおよび処理回路を備え、ＵＥの処理回路がグループＡの任意の実施形態の任意のステップを実施するように設定されている、通信システム。
【０１６４】
実施形態５７：ＵＥをさらに含む、実施形態５６に記載のシステム。
【０１６５】
実施形態５８：基地局をさらに含む通信システムであって、基地局が、ＵＥと通信するように設定された無線インターフェースと、ＵＥから基地局への送信によって搬送されるユーザデータをホストコンピュータに転送するように設定された通信インターフェースとを備える、実施形態５６または５７に記載の通信システム。
【０１６６】
実施形態５９：ホストコンピュータの処理回路がホストアプリケーションを実行するように設定されており、ＵＥの処理回路が、ホストアプリケーションに関連したクライアントアプリケーションを実行することによってユーザデータを供給するように設定されている、実施形態５６から５８のいずれか１つに記載の通信システム。
【０１６７】
実施形態６０：ホストコンピュータの処理回路が、ホストアプリケーションを実行することによって要求データを供給するように設定されており、ＵＥの処理回路が、ホストアプリケーションに関連したクライアントアプリケーションを実行することによって要求データに応答してユーザデータを供給するように設定されている、実施形態５６から５９のいずれか１つに記載の通信システム。
【０１６８】
実施形態６１：ホストコンピュータ、基地局、およびユーザ機器（ＵＥ）を含む通信システムにおいて実施される方法であって、ホストコンピュータにおいて、ＵＥから基地局に送信されたユーザデータを受信することであって、ＵＥがグループＡの任意の実施形態の任意のステップを実施する、ユーザデータを受信することを含む方法。
【０１６９】
実施形態６２：ＵＥにおいてユーザデータを基地局に供給することをさらに含む、実施形態６１に記載の方法。
【０１７０】
実施形態６３：ＵＥにおいて、クライアントアプリケーションを実行することにより、送信されるべきユーザデータを供給することと、ホストコンピュータにおいて、クライアントアプリケーションに関連したホストアプリケーションを実行することとをさらに含む、実施形態６１または６２に記載の方法。
【０１７１】
実施形態６４：ＵＥにおいてクライアントアプリケーションを実行することと、ＵＥにおいて、クライアントアプリケーションへの入力データを受信することであって、入力データは、ホストコンピュータにおいて、クライアントアプリケーションに関連したホストアプリケーションを実行することによって供給され、送信されるべきユーザデータが、クライアントアプリケーションによって入力データに応答して供給される、入力データを受信することとをさらに含む、実施形態６１から６３のいずれか１つに記載の方法。
【０１７２】
実施形態６５：ユーザ機器（ＵＥ）から基地局への送信に由来するユーザデータを受信するように設定された通信インターフェースを備えるホストコンピュータを含む通信システムであって、基地局が無線インターフェースおよび処理回路を備え、基地局の処理回路が、グループＢの任意の実施形態の任意のステップを実施するように設定されている、通信システム。
【０１７３】
実施形態６６：基地局をさらに含む、実施形態６５に記載の通信システム。
【０１７４】
実施形態６７：ＵＥをさらに含む通信システムであって、ＵＥが基地局と通信するように設定されている、実施形態６５または６６に記載の通信システム。
【０１７５】
実施形態６８：ホストコンピュータの処理回路がホストアプリケーションを実行するように設定されており、ＵＥが、ホストアプリケーションに関連したクライアントアプリケーションを実行することにより、ホストコンピュータによって受信されるべきユーザデータを供給するように設定されている、実施形態６５から６７のいずれか１つに記載の通信システム。
【０１７６】
実施形態６９：ホストコンピュータ、基地局、およびユーザ機器（ＵＥ）を含む通信システムにおいて実施される方法であって、ホストコンピュータにおいて、基地局がＵＥから受信した送信に由来するユーザデータを基地局から受信することであって、ＵＥがグループＡの任意の実施形態の任意のステップを実施する、ユーザデータを基地局から受信することを含む方法。
【０１７７】
実施形態７０：基地局においてＵＥからのユーザデータを受信することをさらに含む、実施形態６９に記載の方法。
【０１７８】
実施形態７１：基地局において、受信したユーザデータのホストコンピュータへの送信を開始することをさらに含む、実施形態６９または７０に記載の方法。
【０１７９】
グループＤの実施形態
実施形態７２：少なくともネットワークノード（５０２）および無線デバイス（５１２）を備える無線ネットワークにおいて、半永続的チャネル状態情報（ＳＰ−ＣＳＩ）報告を活性化または非活性化するための制御メッセージを有効化する方法であって、ネットワークノード（５０２）によって、無線デバイス（５１２）に、ＳＰ−ＣＳＩ報告の活性化または非活性化のいずれかを指示する少なくとも１つのビットフィールドを伴うメッセージ送ることと、このメッセージを無線デバイス（５１２）によって受信することと、無線デバイス（５１２）によって、このメッセージがＳＰ−ＣＳＩを活性化するためのものかそれとも非活性化するためのものかを判定することとのうちの少なくとも１つを含む方法。
【０１８０】
実施形態７３：上記のメッセージが複数のビットフィールドを含む、実施形態７２に記載の方法。
【０１８１】
実施形態７４：上記のメッセージがＳＰ−ＣＳＩセル無線ネットワーク一時識別子（Ｃ−ＲＮＴＩ）によってスクランブルをかけられる、実施形態７２に記載の方法。
【０１８２】
実施形態７５：ビットフィールドの各々のサイズが、ＳＰ−ＣＳＩとは異なるようにあらかじめ決定されている、実施形態７３に記載の方法。
【０１８３】
実施形態７６：少なくとも１つのビットフィールドが、活性化用と非活性化用とで異なる値を有する、実施形態７２に記載の方法。
【０１８４】
実施形態７７：判定することが、メッセージがＳＰ−ＣＳＩセル無線ネットワーク一時識別子（Ｃ−ＲＮＴＩ）によってスクランブルをかけられていることを検証すること、および／または少なくとも１つのビットフィールドの値を、ＳＰ−ＣＳＩを活性化もしくは非活性化するための所定値と比較することを含む、実施形態７２に記載の方法。
【０１８５】
実施形態７８：メッセージを送ることが、物理ダウンリンク制御チャネル（ＰＤＣＣＨ）を通じてメッセージを送信することを含む、実施形態７２に記載の方法。
【０１８６】
実施形態７９：受信することがメッセージを復号することを含む、実施形態７２に記載の方法。
【０１８７】
実施形態８０：少なくとも１つのビットフィールドが、新データインジケータ、冗長バージョン（ＲＶ）、スケジューリングされた物理アップリンク共有チャネル（ＰＵＳＣＨ）向けの送信電力制御（ＴＰＣ）命令、ハイブリッド自動再送要求（ＨＡＲＱ）プロセス番号、変調・符号化方式ならびに冗長バージョン（ＲＶ）、周波数領域リソース割り当て、および時間領域リソース割り当てのうちの１つである、実施形態７２に記載の方法。
【０１８８】
実施形態８１：少なくともネットワークノード（５０２）および無線デバイス（５１２）を備える無線ネットワークにおいて、半永続的チャネル状態情報（ＳＰ−ＣＳＩ）報告を活性化または非活性化するための制御メッセージを有効化する方法であって、ネットワークノード（５０２）によって、無線デバイス（５１２）に、ＳＰ−ＣＳＩ報告を活性化するための第１のメッセージおよびＳＰ−ＣＳＩ報告を非活性化するための第２のメッセージを送ることと、無線デバイス（５１２）によって、第１および第２のメッセージを受信することと、無線デバイス（５１２）によって、第１のメッセージが活性化するためのものであり、第２のメッセージが非活性化するためのものであると判定することとのうちの少なくとも１つを含む方法。
【０１８９】
実施形態８２：第２のメッセージが第１のメッセージの後に送られる、実施形態８１に記載の方法。
【０１９０】
実施形態８３：第１および第２のメッセージがＳＰ−ＣＳＩセル無線ネットワーク一時識別子（Ｃ−ＲＮＴＩ）によってスクランブルをかけられる、実施形態８１に記載の方法。
【０１９１】
実施形態８４：判定することが、メッセージがＳＰ−ＣＳＩセル無線ネットワーク一時識別子（Ｃ−ＲＮＴＩ）によってスクランブルをかけられていることを検証すること、および／またはＳＰ−ＣＳＩに関するメッセージを受信した後に、進行中のＳＰ−ＣＳＩ報告があるかどうかを検査すること、ならびに任意選択で、進行中のＳＰ−ＣＳＩ報告があれば、受信されたメッセージはＳＰ−ＣＳＩを非活性化するためのものであると判定し、なければ、受信されたメッセージはＳＰ−ＣＳＩを活性化するためのものであると判定することを含む、実施形態８１に記載の方法。
【０１９２】
実施形態８５：メッセージを送ることが、物理ダウンリンク制御チャネル（ＰＤＣＣＨ）を通じてメッセージを送信することを含む、実施形態８１に記載の方法。
【０１９３】
実施形態８６：受信することがメッセージを復号することを含む、実施形態８１に記載の方法。
【０１９４】
実施形態８７：少なくとも無線ネットワークノード（５０２）および無線デバイス（５１２）を備える無線ネットワークにおいて、半永続的チャネル状態情報（ＳＰ−ＣＳＩ）報告を活性化または非活性化するための制御メッセージを有効化する方法であって、ネットワークノード（５０２）によって、無線デバイス（５１２）に、ＳＰ−ＣＳＩ報告の活性化または非活性化を指示するための１つのビットフィールドを伴うメッセージ送ることと、このメッセージを無線デバイス（５１２）によって受信することと、無線デバイス（５１２）によって、このメッセージが活性化のためのものかそれとも非活性化のためのものかを判定することとのうちの少なくとも１つを含む方法。
【０１９５】
実施形態８８：上記のメッセージが複数のビットフィールドを含む、実施形態８７に記載の方法。
【０１９６】
実施形態８９：上記のメッセージがＳＰ−ＣＳＩセル無線ネットワーク一時識別子（Ｃ−ＲＮＴＩ）によってスクランブルをかけられる、実施形態８７に記載の方法。
【０１９７】
実施形態９０：複数のビットフィールドのうちの１つがチャネル状態情報（ＣＳＩ）要求フィールドである、実施形態８７に記載の方法。
【０１９８】
実施形態９１：上記の１ビットがチャネル状態情報（ＣＳＩ）要求フィールドの一部分である、実施形態８７または８８に記載の方法。
【０１９９】
実施形態９２：少なくとも無線ネットワークノード（５０２）および無線デバイス（５１２）を備える無線ネットワークにおいて、半永続的チャネル状態情報（ＳＰ−ＣＳＩ）報告を活性化または非活性化するための制御メッセージを有効化する方法であって、ネットワークノード（５０２）によって、無線デバイス（５１２）用の複数のＳＰ−ＣＳＩ報告の起動状態を設定することと、ネットワークノードによって、無線デバイス（５１２）に、ＳＰ−ＣＳＩ報告用の複数のＳＰ−ＣＳＩ報告の起動状態のうちの１つを指示するメッセージを送ることと、このメッセージを無線デバイス（５１２）によって受信することと、無線デバイス（５１２）によって、このメッセージが活性化のためのものかそれとも非活性化のためのものかを判定することとのうちの少なくとも１つを含む方法。
【０２００】
実施形態９３：複数のＳＰ−ＣＳＩ報告の起動状態の各々が、ＳＰ−ＣＳＩ報告の活性化または非活性化のいずれかの指示を含む、実施形態９２に記載の方法。
【０２０１】
実施形態９４：設定することが無線リソース制御シグナリングによるシグナリングを含む、実施形態９２に記載の方法。
【０２０２】
実施形態９５：メッセージが複数のＳＰ−ＣＳＩ報告の起動状態のうちの１つを選択するためのビットフィールドを含む、実施形態９２に記載の方法。
【０２０３】
実施形態９６：ビットフィールドがチャネル状態情報（ＣＳＩ）要求フィールドである、実施形態９２に記載の方法。
【０２０４】
実施形態９７：メッセージを送ることが、物理ダウンリンク制御チャネル（ＰＤＣＣＨ）を通じてメッセージを送信することを含む、実施形態９２に記載の方法。
【０２０５】
実施形態９８：受信することがメッセージを復号することを含む、実施形態９２に記載の方法。
【０２０６】
実施形態９９：判定することが、メッセージがＳＰ−ＣＳＩセル無線ネットワーク一時識別子（Ｃ−ＲＮＴＩ）によってスクランブルをかけられていることを検証すること、および／または複数のＳＰ−ＣＳＩ報告の起動状態のビットフィールドの値を調べることを含む、実施形態９２に記載の方法。
【０２０７】
本開示では、以下の短縮形のうちの少なくともいくつかが使用され得る。短縮形の間に不整合がある場合には、上記で使用されている様子を優先させるべきである。以下で複数回列記されている場合には、最初のものが最も望ましい。
・３ＧＰＰ  第３世代パートナーシッププロジェクト
・５Ｇ  第５世代
・Ａ−ＣＳＩ  非周期的チャネル状態情報
・ＡＰ  アクセスポイント
・ＡＳＩＣ  特定用途向け集積回路
・ＣＥ  制御要素
・ＣＯＲＥＳＥＴ  制御リソースセット
・ＣＰ  サイクリックプレフィックス
・ＣＰＵ  中央処理装置
・ＣＱＩ  チャネル品質インジケータ
・ＣＲＣ  サイクリック冗長検査
・Ｃ−ＲＮＴＩＣｅｌｌ  無線ネットワーク一時識別子
・ＣＳ  設定されたスケジューリング。
・ＣＳＩ  チャネル状態情報
・ＣＳＩ−ＲＳ  チャネル状態情報参照信号
・ＤＣＩ  ダウンリンク制御情報
・ＤＦＴ  離散フーリエ変換
・ＤＭＲＳ  復調用参照信号
・ＤＳＰ  デジタル信号プロセッサ
・ｅＮＢ  拡張またはエボルブドノードＢ
・ＦＰＧＡ  フィールドプログラマブルゲートアレイ
・ＧＨｚ  ギガヘルツ
・ｇＮＢ  新無線基地局
・ＨＡＲＱ  ハイブリッド自動再送要求
・ｋＨｚ  キロヘルツ
・ＬＴＥ  Ｌｏｎｇ  Ｔｅｒｍ  Ｅｖｏｌｕｔｉｏｎ
・ＭＡＣ  メディアアクセス制御
・ＭＣＳ  変調・符号化方式
・ＭＨｚ  メガヘルツ
・ｍｍＷ  ミリ波
・ＭＭＥ  モビリティ管理エンティティ
・ＭＴＣ  マシンタイプ通信
・ＮＤＩ  新データ指示
・ＮＲ  新無線
・ＯＦＤＭ  直交周波数分割多重
・ＯＴＴ  オーバーザトップ
・Ｐ−ＣＳＩ  周期的チャネル状態情報
・ＰＤＣＣＨ  物理ダウンリンク制御チャネル
・ＰＤＣＰ  パケットデータ収斂プロトコル
・ＰＤＳＣＨ  物理的ダウンリンク共有チャネル
・Ｐ−ＧＷ  パケットデータネットワークゲートウェイ
・ＰＨＹ  物理的
・ＰＭＩ  プリコーディング行列インジケータ
・ＰＵＣＣＨ  物理アップリンク制御チャネル
・ＰＵＳＣＨ  物理的アップリンク共有チャネル
・ＲＡＮ  無線アクセスネットワーク
・ＲＡＭ  ランダムアクセスメモリ
・ＲＢ  リソースブロック
・ＲＥ  リソースエレメント
・ＲＩ  ランクインジケータ
・ＲＬＣ  無線リンク制御
・ＲＮＴＩ  無線ネットワーク一時識別子
・ＲＯＭ  読取り専用メモリ
・ＲＲＣ  無線リソース制御
・ＲＲＨ  リモート無線ヘッド
・ＳＣＥＦ  サービス性能エクスポージャ機能
・ＳＤＡＰ  サービスデータ適合プロトコル
・ＳＦＮ  システムフレーム番号
・ＳＰ−ＣＳＩ  半永続的チャネル状態情報
・ＳＰＳ  半永続的スケジューリング
・ＴＢ  トランスポートブロック
・ＴＰＣ  送信電力制御
・Ｔｘ  送信
・ＵＣＩ  アップリンク制御情報
・ＵＥ  ユーザ機器
・ＵＬ  アップリンク
・ＵＬ−ＳＣＨ  アップリンク共有チャネル
・ＵＬ−ＴＷＧ  許可なしアップリンク送信
【０２０８】
当業者なら、本開示の実施形態に対する改善および変更形態を明確に理解するであろう。そのような改善および変更形態のすべてが、本明細書で開示した概念の範囲内にあると見なされる。
【図１】
2020536400.tif 000007
【図２】
2020536400.tif 000008
【図３】
2020536400.tif 000009
【図４】
2020536400.tif 000010
【図５】
2020536400.tif 000011
【図６】
2020536400.tif 000012
【図７】
2020536400.tif 000013
【図８】
2020536400.tif 000014
【図９】
2020536400.tif 000015
【図１０】
2020536400.tif 000016
【図１１】
2020536400.tif 000017
【図１２】
2020536400.tif 000018
【図１３】
2020536400.tif 000019
【図１４】
2020536400.tif 000020
【図１５】
2020536400.tif 000021
【図１６】
2020536400.tif 000022
【図１７】
2020536400.tif 000023
【図１８】
2020536400.tif 000024
【図１９】
2020536400.tif 000025
【図２０】
2020536400.tif 000026
【図２１】
2020536400.tif 000027
【図２２】
2020536400.tif 000028
【図２３】
2020536400.tif 000029
【図２４】
2020536400.tif 000030
【手続補正書】
【提出日】令和2年4月2日(2020.4.2)
【手続補正１】
【補正対象書類名】特許請求の範囲
【補正対象項目名】全文
【補正方法】変更
【補正の内容】
【特許請求の範囲】
【請求項１】
無線通信システムにおける半永続的チャネル状態情報（ＳＰ−ＣＳＩ）報告のためのユーザ機器のための方法であって、
前記ＳＰ−ＣＳＩ報告を活性化または非活性化するための制御メッセージを受信することと、ここで
前記制御メッセージの１つまたは複数のサイクリック冗長検査（ＣＲＣ）ビットが、無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、前記１つまたは複数のビットフィールドは、新データインジケータおよび／または冗長バージョン（ＲＶ）をもたらす目的のために規定された１つまたは複数のビットフィールドを含み、
前記制御メッセージに含まれる前記情報に基づき、前記ＳＰ−ＣＳＩ報告を活性化するべきかそれとも非活性化するべきかを判定することと、
前記判定に従って前記ＳＰ−ＣＳＩ報告を活性化または非活性化することと、を含む方法。
【請求項２】
前記制御メッセージが物理ダウンリンク制御チャネル上で搬送されるダウンリンク制御情報を含む、請求項１に記載の方法。
【請求項３】
前記制御メッセージの前記１つまたは複数のビットフィールドは、他の目的のために規定されるが、再利用される、請求項１に記載の方法。
【請求項４】
無線通信システムにおける半永続的チャネル状態情報（ＳＰ−ＣＳＩ）報告のためのユーザ機器のための方法であって、
前記ＳＰ−ＣＳＩ報告を活性化または非活性化するための制御メッセージを受信することと、ここで
前記制御メッセージの１つまたは複数のサイクリック冗長検査（ＣＲＣ）ビットが、無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記制御メッセージに含まれる前記情報に基づき、前記ＳＰ−ＣＳＩ報告を活性化するべきかそれとも非活性化するべきかを判定することと、
前記判定に従って前記ＳＰ−ＣＳＩ報告を活性化または非活性化することと、を含み、前記ＳＰ−ＣＳＩ報告を活性化するとき、前記ＳＰ−ＣＳＩ報告を活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、および
ハイブリッド自動再送要求（ＨＡＲＱ）プロセス番号を通信するように規定されたフィールド、のうちの１つまたは複数を含む、方法。
【請求項５】
前記制御メッセージが物理ダウンリンク制御チャネル上で搬送されるダウンリンク制御情報を含む、請求項４に記載の方法。
【請求項６】
無線通信システムにおける半永続的チャネル状態情報（ＳＰ−ＣＳＩ）報告のためのユーザ機器のための方法であって、
前記ＳＰ−ＣＳＩ報告を活性化または非活性化するための制御メッセージを受信することと、ここで
前記制御メッセージの１つまたは複数のサイクリック冗長検査（ＣＲＣ）ビットが、無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記制御メッセージに含まれる前記情報に基づき、前記ＳＰ−ＣＳＩ報告を活性化するべきかそれとも非活性化するべきかを判定することと、
前記判定に従って前記ＳＰ−ＣＳＩ報告を活性化または非活性化することと、を含み、前記ＳＰ−ＣＳＩ報告を非活性化するとき、前記ＳＰ−ＣＳＩ報告を非活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、
ハイブリッド自動再送要求（ＨＡＲＱ）プロセス番号を通信するように規定されたフィールド、
変調・符号化方式（ＭＣＳ）を通信するように規定されたフィールド、
周波数領域リソース割り当てを通信するように規定されたフィールド、および
時間領域リソース割り当てを通信するように規定されたフィールド、のうちの１つまたは複数を含む、方法。
【請求項７】
前記制御メッセージが物理ダウンリンク制御チャネル上で搬送されるダウンリンク制御情報を含む、請求項４に記載の方法。
【請求項８】
無線通信システムにおける半永続的チャネル状態情報（ＳＰ−ＣＳＩ）報告のためのユーザ機器であって、
１つまたは複数の送信器および１つまたは複数の受信器と、
前記１つまたは複数の送信器および前記１つまたは複数の受信器に関連した処理回路と、を備え、前記処理回路が、前記ユーザ機器に、
前記ＳＰ−ＣＳＩ報告を活性化または非活性化するための制御メッセージを受信することと、ここで
前記制御メッセージの１つまたは複数のサイクリック冗長検査（ＣＲＣ）ビットが、前記ユーザ機器のＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、前記１つまたは複数のビットフィールドは、新データインジケータおよび／または冗長バージョン（ＲＶ）をもたらす目的のために規定された１つまたは複数のビットフィールドを含み、
前記制御メッセージに含まれる前記情報に基づき、前記ＳＰ−ＣＳＩ報告を活性化するべきかそれとも非活性化するべきかを判定することと、
前記判定に従って前記ＳＰ−ＣＳＩ報告を活性化または非活性化することと、を行わせるように設定されている、ユーザ機器。
【請求項９】
前記制御メッセージが物理ダウンリンク制御チャネル上で搬送されるダウンリンク制御情報を含む、請求項８に記載のユーザ機器。
【請求項１０】
無線通信システムにおける半永続的チャネル状態情報（ＳＰ−ＣＳＩ）報告の活性化または非活性化を可能にするための基地局のための方法であって、
無線デバイスに、ＳＰ−ＣＳＩ報告を活性化または非活性化するための制御メッセージを送ることを含み、ここで
前記制御メッセージの１つまたは複数のサイクリック冗長検査（ＣＲＣ）ビットが、前記無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、前記１つまたは複数のビットフィールドは、新データインジケータおよび／または冗長バージョン（ＲＶ）をもたらす目的のために規定された１つまたは複数のビットフィールドを含む、方法。
【請求項１１】
前記制御メッセージが物理ダウンリンク制御チャネル上で搬送されるダウンリンク制御情報を含む、請求項１０に記載の方法。
【請求項１２】
前記制御メッセージの前記１つまたは複数のビットフィールドは、他の目的のために規定されるが、再利用される、請求項１０に記載の方法。
【請求項１３】
無線通信システムにおける半永続的チャネル状態情報（ＳＰ−ＣＳＩ）報告の活性化または非活性化を可能にするための基地局のための方法であって、
無線デバイスに、ＳＰ−ＣＳＩ報告を活性化または非活性化するための制御メッセージを送ることを含み、ここで
前記制御メッセージの１つまたは複数のサイクリック冗長検査（ＣＲＣ）ビットが、無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記ＳＰ−ＣＳＩ報告を活性化するとき、前記ＳＰ−ＣＳＩ報告を活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、および
ハイブリッド自動再送要求（ＨＡＲＱ）プロセス番号を通信するように規定されたフィールド、のうちの１つまたは複数を含む、方法。
【請求項１４】
前記制御メッセージが物理ダウンリンク制御チャネル上で搬送されるダウンリンク制御情報を含む、請求項１３に記載の方法。
【請求項１５】
無線通信システムにおける半永続的チャネル状態情報（ＳＰ−ＣＳＩ）報告の活性化または非活性化を可能にするための基地局のための方法であって、
無線デバイスに、ＳＰ−ＣＳＩ報告を活性化または非活性化するための制御メッセージを送ることを含み、ここで
前記制御メッセージの１つまたは複数のサイクリック冗長検査（ＣＲＣ）ビットが、無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記ＳＰ−ＣＳＩ報告を非活性化するとき、前記ＳＰ−ＣＳＩ報告を非活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、
ハイブリッド自動再送要求（ＨＡＲＱ）プロセス番号を通信するように規定されたフィールド、
変調・符号化方式（ＭＣＳ）を通信するように規定されたフィールド、
周波数領域リソース割り当てを通信するように規定されたフィールド、および
時間領域リソース割り当てを通信するように規定されたフィールド、のうちの１つまたは複数を含む、方法。
【請求項１６】
前記制御メッセージが物理ダウンリンク制御チャネル上で搬送されるダウンリンク制御情報を含む、請求項１５に記載の方法。
【請求項１７】
無線通信システムにおける半永続的チャネル状態情報（ＳＰ−ＣＳＩ）報告の活性化または非活性化を可能にするための基地局であって、
前記基地局に、ＳＰ−ＣＳＩ報告を活性化または非活性化するための制御メッセージを無線デバイスへ送らせるように設定された処理回路を備え、ここで
前記制御メッセージの１つまたは複数のサイクリック冗長検査（ＣＲＣ）ビットが、前記無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、前記１つまたは複数のビットフィールドは、新データインジケータおよび／または冗長バージョン（ＲＶ）をもたらす目的のために規定された１つまたは複数のビットフィールドを含む、基地局。
【請求項１８】
前記制御メッセージが物理ダウンリンク制御チャネル上で搬送されるダウンリンク制御情報を含む、請求項１７に記載の基地局。
【請求項１９】
無線通信システムにおける半永続的チャネル状態情報（ＳＰ−ＣＳＩ）報告のためのユーザ機器であって、
１つまたは複数の送信器および１つまたは複数の受信器と、
前記１つまたは複数の送信器および前記１つまたは複数の受信器に関連した処理回路と、を備え、前記処理回路が、前記ユーザ機器に、
前記ＳＰ−ＣＳＩ報告を活性化または非活性化するための制御メッセージを受信することと、ここで
前記制御メッセージの１つまたは複数のサイクリック冗長検査（ＣＲＣ）ビットが、前記ユーザ機器のＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記制御メッセージに含まれる前記情報に基づき、前記ＳＰ−ＣＳＩ報告を活性化するべきかそれとも非活性化するべきかを判定することと、
前記判定に従って前記ＳＰ−ＣＳＩ報告を活性化または非活性化することと、を行わせるように設定されており、前記ＳＰ−ＣＳＩ報告を活性化するとき、前記ＳＰ−ＣＳＩ報告を活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、および
ハイブリッド自動再送要求（ＨＡＲＱ）プロセス番号を通信するように規定されたフィールド、のうちの１つまたは複数を含む、ユーザ機器。
【請求項２０】
前記制御メッセージが物理ダウンリンク制御チャネル上で搬送されるダウンリンク制御情報を含む、請求項１９に記載のユーザ機器。
【請求項２１】
無線通信システムにおける半永続的チャネル状態情報（ＳＰ−ＣＳＩ）報告のためのユーザ機器であって、
１つまたは複数の送信器および１つまたは複数の受信器と、
前記１つまたは複数の送信器および前記１つまたは複数の受信器に関連した処理回路と、を備え、前記処理回路が、前記ユーザ機器に、
前記ＳＰ−ＣＳＩ報告を活性化または非活性化するための制御メッセージを受信することと、ここで
前記制御メッセージの１つまたは複数のサイクリック冗長検査（ＣＲＣ）ビットが、前記ユーザ機器のＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記制御メッセージに含まれる前記情報に基づき、前記ＳＰ−ＣＳＩ報告を活性化するべきかそれとも非活性化するべきかを判定することと、
前記判定に従って前記ＳＰ−ＣＳＩ報告を活性化または非活性化することと、を行わせるように設定されており、前記ＳＰ−ＣＳＩ報告を非活性化するとき、前記ＳＰ−ＣＳＩ報告を非活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、
ハイブリッド自動再送要求（ＨＡＲＱ）プロセス番号を通信するように規定されたフィールド、
変調・符号化方式（ＭＣＳ）を通信するように規定されたフィールド、
周波数領域リソース割り当てを通信するように規定されたフィールド、および
時間領域リソース割り当てを通信するように規定されたフィールド、のうちの１つまたは複数を含む、ユーザ機器。
【請求項２２】
前記制御メッセージが物理ダウンリンク制御チャネル上で搬送されるダウンリンク制御情報を含む、請求項２１に記載のユーザ機器。
【請求項２３】
無線通信システムにおける半永続的チャネル状態情報（ＳＰ−ＣＳＩ）報告の活性化または非活性化を可能にするための基地局であって、
前記基地局に、ＳＰ−ＣＳＩ報告を活性化または非活性化するための制御メッセージを無線デバイスへ送らせるように設定された処理回路を備え、ここで
前記制御メッセージの１つまたは複数のサイクリック冗長検査（ＣＲＣ）ビットが、前記無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記ＳＰ−ＣＳＩ報告を活性化するとき、前記ＳＰ−ＣＳＩ報告を活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、および
ハイブリッド自動再送要求（ＨＡＲＱ）プロセス番号を通信するように規定されたフィールド、のうちの１つまたは複数を含む、基地局。
【請求項２４】
前記制御メッセージが物理ダウンリンク制御チャネル上で搬送されるダウンリンク制御情報を含む、請求項２３記載の基地局。
【請求項２５】
無線通信システムにおける半永続的チャネル状態情報（ＳＰ−ＣＳＩ）報告の活性化または非活性化を可能にするための基地局であって、
前記基地局に、ＳＰ−ＣＳＩ報告を活性化または非活性化するための制御メッセージを無線デバイスへ送らせるように設定された処理回路を備え、ここで
前記制御メッセージの１つまたは複数のサイクリック冗長検査（ＣＲＣ）ビットが、前記無線デバイスのＳＰ−ＣＳＩセル無線ネットワーク一時識別子（ＳＰ−ＣＳＩ−ＲＮＴＩ）とスクランブルをかけられ、
前記制御メッセージは、前記制御メッセージが前記ＳＰ−ＣＳＩ報告を活性化するためのものであるか非活性化するためのものであるかを示す情報を含み、前記情報が、前記制御メッセージの１つまたは複数のビットフィールドの中に設定されたビット値を含み、
前記ＳＰ−ＣＳＩ報告を非活性化するとき、前記ＳＰ−ＣＳＩ報告を非活性化するための前記１つまたは複数のビットフィールドが、
新データインジケータを通信するように規定されたフィールド、
冗長バージョン（ＲＶ）を通信するように規定されたフィールド、
物理アップリンク共有チャネル向けの送信電力制御命令を通信するように規定されたフィールド、
ハイブリッド自動再送要求（ＨＡＲＱ）プロセス番号を通信するように規定されたフィールド、
変調・符号化方式（ＭＣＳ）を通信するように規定されたフィールド、
周波数領域リソース割り当てを通信するように規定されたフィールド、および
時間領域リソース割り当てを通信するように規定されたフィールド、のうちの１つまたは複数を含む、基地局。
【請求項２６】
前記制御メッセージが物理ダウンリンク制御チャネル上で搬送されるダウンリンク制御情報を含む、請求項２５記載の基地局。
【国際調査報告】
2020536400.tif 000031
2020536400.tif 000032